(57)【要約】  マルチランプ照明器具内のランプのグループを動作させる方法であって、各ランプは、所定の符号化光メッセージが埋め込まれた各照明を放出するように動作可能であり、それぞれが、各々のローカルコントローラを含み、方法は、符号化光メッセージの同期されていないインスタンスが、マルチランプ照明器具内のランプのうちの異なるものから送信されないように連係するために、マルチランプ照明器具内のランプのローカルコントローラ間で通信するステップを含む。
2019528586.tif 000002
【特許請求の範囲】
【請求項１】
マルチランプ照明器具内の１つ以上の他のランプと共に使用するための第１のランプであって、各ランプは、所定の符号化光メッセージが埋め込まれた各照明を放出するように動作可能であり、前記第１のランプは、
前記各照明を放出するための１つ以上の発光要素と、
ローカルコントローラと、
前記ローカルコントローラが、前記マルチランプ照明器具内の前記１つ以上の他のランプのそれぞれにある対応するコントローラと通信することを可能にするように構成された通信インタフェースであって、前記通信は、１つ以上の信号を送信すること及び／又は受信することを含む、通信インタフェースと、
前記符号化光メッセージを前記第１のランプの前記各照明に変調するように動作可能な符号化光送信機と、
を含み、
前記ローカルコントローラは、前記符号化光メッセージの同期されていないインスタンスが前記マルチランプ照明器具内の前記ランプのうちの異なるものから送信されることを防止するために、前記通信インタフェースを介した前記通信に基づき、前記１つ以上の他のランプの対応する前記コントローラと連係するように構成されており、
前記ローカルコントローラは、前記連係が、
ａ）前記第１のランプ及び前記１つ以上の他のランプのそれぞれが同一の符号化光メッセージの各インスタンスを送信するように連系すること、及び前記メッセージの全ての前記インスタンスが同時に開始して送信されるよう同期すること、又は、
ｂ）前記第１のランプが前記メッセージを送信する場合、前記ローカルコントローラは、前記第１のランプを、前記符号化光送信機が前記メッセージを送信する符号化光送信モードで動作するように選択し、前記他のランプのうちの１つが前記メッセージを送信する場合、前記ローカルコントローラは、前記第１のランプを、前記第１のランプが前記メッセージを送信しない符号化光非送信モードで動作するように選択するように、前記マルチランプ照明器具内の前記ランプの１つのみが前記メッセージを送信し、前記マルチランプ照明器具内の前記ランプの他のいずれも符号化光を送信しないように連係すること、
のいずれかを含むように構成されている、第１のランプ。
【請求項２】
前記各照明を放出するため前記１つ以上の発光要素に給電するために、前記１つ以上の発光要素を前記マルチランプ照明器具の電源回路に接続するため、前記マルチランプ照明器具の相補的なコネクタに接続するための機械的なコネクタを含む、請求項１に記載の第１のランプ。
【請求項３】
前記ローカルコントローラは、前記連係をａ）によって実施するように構成されており、前記第１のランプは、前記第１のランプと前記１つ以上の他のランプとに共通するクロック信号を導出するために、前記電源回路によって供給される電力の電圧及び／又は電流のサイクル変化を使用するように構成されているタイミング回路を含み、前記符号化光送信機は、前記符号化光メッセージの前記各インスタンスの開始を、前記クロック信号に同期させるように構成されており、それによって、前記各メッセージの開始を、前記１つ以上の他のランプによって送信される前記メッセージの開始に同期させる、請求項２に記載の第１のランプ。
【請求項４】
前記タイミング回路はディバイダを含み、前記符号化光送信機は、前記クロック信号が、電源の前記サイクル変化に比べてより低い周波数を有するように、前記ディバイダを介して前記クロックを導出するように構成されている、請求項３に記載の第１のランプ。
【請求項５】
前記ローカルコントローラは、前記連係をｂ）によって実施するように構成されており、
前記ローカルコントローラは、前記第１のランプを前記符号化光送信モードの複数の異なるサブステートで動作することの間で選択するように構成されており、各サブステートは、前記各照明への前記メッセージを異なる変調度で変調し、
前記ローカルコントローラは更に、前記通信インタフェースを介した前記通信に基づき、何個の他のランプが前記マルチランプ照明器具内にあるかを検出し、検出された前記個数に基づいて前記異なるサブステート間で選択するように構成されている、
請求項１に記載の第１のランプ。
【請求項６】
前記ローカルコントローラは、前記第１のランプ及び前記１つ以上の他のランプに、前記第１のランプ及び前記１つ以上の他のランプの各照明の強度[SA7]を上又は下に調節するように指示する調光信号を受信するように構成されており、
前記ローカルコントローラは更に、前記調光信号に応答して、前記第１のランプが前記符号化光送信モードにあるという条件下では、前記第１のランプから放出される前記各照明を前記１つ以上の他のランプに対してより小さい割合で調節するが、前記第１のランプが前記符号化光非送信モードにあるという条件下では、前記各照明を、前記メッセージを送信する前記他のランプのうちの前記１つに対してより大きい割合で調節するように構成されている、
請求項５に記載の第１のランプ。
【請求項７】
前記通信インタフェースは前記通信を、前記１つ以上の信号の伝搬が前記照明器具の物理的特性によって制約され、それによって、前記１つ以上の信号が前記同一マルチランプ照明器具内のランプのみの間で通信されることに限定され、任意の他の照明器具内のランプとは通信されない、制約された信号チャネルを介して実施するように構成されている、請求項１乃至６の何れか一項に記載の第１のランプ。
【請求項８】
前記制約された信号チャネルは、前記第１のランプ及び前記１つ以上の他のランプに給電する前記電源回路を含み、前記通信インタフェースは前記通信を、前記電源回路によって供給される前記電力の電流及び／又は電圧を変調することによって実施するように構成されており、前記１つ以上の信号の前記伝搬は、それによって、前記第１のランプ及び前記１つ以上の他のランプと前記同一のマルチランプ照明器具内の前記電源回路に限定される、請求項２及び７に記載の第１のランプ。
【請求項９】
前記第１のランプは、蛍光管を代替するための後付け可能なＬＥＤベースランプの形態をとる、請求項１乃至８の何れか一項に記載の第１のランプ。
【請求項１０】
請求項１乃至９の何れか一項に記載の第１のランプと前記１つ以上の他のランプとを含む、マルチランプ照明器具。
【請求項１１】
前記第１のランプ及び前記１つ以上の他のランプが収容される共有光学キャビティを含む、請求項１０に記載の照明器具。
【請求項１２】
前記光学キャビティは拡散体内に形成されている、請求項１１に記載の照明器具。
【請求項１３】
マルチランプ照明器具内のランプのグループを動作させる方法であって、各ランプは、所定の符号化光メッセージが埋め込まれた各照明を放出するように動作可能であり、それぞれが、各々のローカルコントローラを含み、前記方法は、
前記符号化光メッセージの同期されていないインスタンスが、前記マルチランプ照明器具内の前記ランプのうちの異なるものから送信されないように連係するために、前記マルチランプ照明器具内の前記ランプの前記ローカルコントローラ間で通信するステップであって、前記連係は、
ａ）前記第１のランプ及び前記１つ以上の他のランプのそれぞれが同一の符号化光メッセージの各インスタンスを送信するように連系すること、及び前記メッセージの全ての前記インスタンスが同時に開始して送信されるよう同期すること、又は、
ｂ）前記第１のランプが前記メッセージを送信する場合、前記ローカルコントローラは、前記第１のランプを、前記符号化光送信機が前記メッセージを送信する符号化光送信モードで動作するように選択し、前記他のランプのうちの１つが前記メッセージを送信する場合、前記ローカルコントローラは、前記第１のランプを、前記第１のランプが前記メッセージを送信しない符号化光非送信モードで動作するように選択するように、前記マルチランプ照明器具内の前記ランプの１つのみが前記メッセージを送信し、前記マルチランプ照明器具内の前記ランプの他のいずれも符号化光を送信しないように連係すること、
のいずれかを含む、ステップを含む、
方法。
【発明の詳細な説明】
【技術分野】
【０００１】
本開示は、マルチランプ照明器具内の１つ以上の他のランプと共に使用するためのランプであって、符号化光を放出するように動作可能である、ランプに関する。例えば、ランプは、従来の蛍光管又はフィラメント電球の後付け可能なＬＥＤベース代替品であってもよい。
【背景技術】
【０００２】
照明器具（照明具）は、照明を放出するための少なくとも１つのランプと、任意の対応するソケット、支持物及び／又はハウジングと、を含むデバイスである。照明器具は、従来の天井若しくは壁取付式照明器具、自立照明器具、又はウォールウォッシャ、又は表面若しくは家具物品に組み込まれた照明源などのより一般的でない形態、又は環境に照明を放出するための任意の他の種類の照明デバイスなどの様々な形態のうちのいずれをとってもよい。ランプとは、１つの照明器具につき１つ以上あってもよい、照明器具内の個々の発光構成要素を意味する。ランプは、また、ＬＥＤベースランプ、ガス放電ランプ、又はフィラメント電球などのいくつかの形態のうちのいずれをとってもよい。次第に人気の高まっているランプの形態は、照明を放出するための手段として１つ以上のＬＥＤを含むものの、従来のフィラメント電球又は蛍光管用に設計された照明器具に後付け可能であるように作られている後付け可能なＬＥＤベースランプである。
【０００３】
照明器具、又は個々のランプにさえも、スマートフォン、タブレット、ラップトップ型コンピュータ、若しくはデスクトップ型コンピュータなどのユーザデバイス、又は無線壁スイッチから受信された照明制御命令によって、及び／又は１つ以上のリモートセンサから受信されたセンサの読み取り値に基づき、照明器具又はランプが遠隔的に制御されることを可能にする無線通信インタフェースが備えられていてよい。現在、通信インタフェースは、ランプそれ自体の内部（例えば、フィラメント電球又は蛍光管の後付け可能な代替品のエンドキャップ内）に直接含まれ得る。例えば、これにより、ユーザがユーザデバイスを介して、ランプの照明をオン及びオフにすること、照明レベルを上又は下に調整すること、放出される照明の色を変化させること、及び／又は動的（時間変化する）照明効果を作り出すことを可能にすることができる。１つの形態では、通信インタフェースは、照明制御命令を受信するように、及び／又はＷｉ−Ｆｉ、８０２．１５．４、ＺｉｇＢｅｅ、若しくはＢｌｕｅｔｏｏｔｈなどのローカル近距離無線アクセス技術によってセンサデータを共有するように構成されている。このようなランプは、時として「コネクテッド」ランプと呼ばれることがある。
【０００４】
コネクテッドランプの１つの種類は、従来の蛍光管用に設計された照明器具に後付けする簡単取付「直管ＬＥＤ」（tube light emitting diode、ＴＬＥＤ）ランプである。簡単取付ＴＬＥＤ手法によれば、既存の固定出力蛍光灯安定器、ＴＬＥＤランプホルダ、及びまた、照明器具内の全ての電気配線は変わらないままである。簡単なランプ交換によって、既存の「ダム（dumb）」蛍光管は（又は「ダム」ＴＬＥＤ管さえも）、それぞれが個々の組み込み式無線ラジオを有する調光可能なコネクテッドＴＬＥＤと交換され得る。
【０００５】
他の「スマート」又は「コネクテッド」照明用途では、データを（好ましくは（preferbaly）ヒトの知覚を超える又は少なくともヒトが耐えられるほどの十分に高い周波数で）符号化するために、放出される光の強度などの性質を変調することにより、照明器具によって放出される照明にデータを埋め込む機能が提供される。これは、「符号化光」（coded light、ＣＬ）又は「可視光通信」（visible light communication、ＶＬＣ）と呼ばれることがある。
【０００６】
例えば、各照明器具は、各照明器具に固有の（少なくとも、当該システム内、例えば、所与の建物内において固有の）異なる各ＩＤ符号を放出するように構成されていてもよい。ルックアップテーブルが、また、モバイルユーザ端末で利用できてもよく、例えば、サーバにホストされており、ローカル無線ネットワーク及び／若しくはインターネットを介して利用できるようになっているか、又はユーザ端末にローカルに格納されている。ルックアップテーブルは少なくとも１つの各情報を各ＩＤ、例えば、各照明器具の位置に対してマッピングする。ユーザ端末に内蔵された光センサ（例えばカメラ）を使用することによって、ユーザ端末で実行するアプリケーションは、ユーザの現在位置で現在遭遇している光に埋め込まれたＩＤを検出することができる（例えば、ユーザは特定の照明器具に向かって上にカメラを向ける）。アプリケーションは、その後、ＩＤにマッピングされた情報を探すためにルックアップテーブルにアクセスする。例えば、この情報が各照明器具の位置を含む場合、これはユーザ端末（したがってユーザ）のおおよその位置として解釈され得る。より高度な変形形態では、複数の（plurilty of）近傍の照明器具からの光及び各埋め込まれたＩＤは、受信された符号化光信号の測定値（例えば、受信された信号の強度、飛行時間、及び／又は到来角）及び適切な位置決めアルゴリズム（例えば、三角測量、三辺測量、マルチラテレーション及び／又はフィンガーブリンティング）を使用し、より厳密な測位点を算出するためにアプリケーションによって使用され得る。
【０００７】
このような技術は、衛星ベースのポジショニングシステム（例えば、ＧＰＳ、Ｇａｌｉｌｅｏ又はＧＬＯＮＡＳＳ）が貫通することができない屋内ポジショニング用の特定用途を有する。しかしながら、このようなポジショニング技術が屋外でも使用されることを妨げるものはない。いずれにせよ、これらポジショニング（即ちローカリゼーション）技術は、ナビゲーション、即ち、ユーザに対し、自身の道案内を助けるためにユーザの端末の地図上でユーザの現在位置を表示すること、又は位置依存サービスを提供すること、例えば、ユーザは、特定の既定領域内にいることが検出されたという条件で、照明若しくは暖房暖房（heating heating）を制御すること、又は位置依存代金決済を行うことなどの特定のアクションを実施することのみを許可されるなどの多くの目的で使用され得る。
【０００８】
あるいは、別の更なる用途では、位置に基づくインフォテインメント又は広告などの他の情報がＩＤに対してマッピングされてもよい。あるいは、更に別の可能性として、ルックアップを要求するのではなくむしろ興味を引く情報が光に直接（明示的に）埋め込まれ得る。
【発明の概要】
【０００９】
ここで、所与の照明器具が１つだけではなく複数の別個のランプを含み、照明器具（lumnaire）内の各個々のランプ内に別個のコントローラ及び別個の符号化光送信機が含まれているケースを考えられたい。例えば、それら自身の別個の各ドライバ、コントローラ、ＣＬ変調器、及びＬＥＤをＴＬＥＤ内にそれぞれ個々に含むＴＬＥＤ用の照明器具を考えられたい。この状況は、例えば、照明器具（lumiaire）それ自体が、ＬＥＤベースランプなどの適切なランプに適応する「スマート」又は「コネクテッド」照明器具として最初から設計されておらず、又は特にアップグレードされておらず、むしろそのようなランプの後付け可能なバージョンが、従来の「ダム」蛍光（flourescent）管又はフィラメント電球用のみに設計されている従来の照明器具に後付けされている場合に起こり得る。例えば、典型的なオフィス用途では、１つの照明器具につき４つのＴＬＥＤが含まれてもよい。簡単取付コネクテッドＴＬＥＤベースの解決策は、したがって、照明器具改修キット（例えば、Ｐｈｉｌｐｓ  Ｅｖｏｋｉｔ製品）又は新たな符号化光照明器具のいずれかを適用する競合の手法よりも４倍大きな数の無線ノードをもたらす。
【００１０】
照明器具は、また、通常、照明器具内のいくつかのＴＬＥＤにおいて、異なるＴＬＥＤからの光がＴＬＥＤを出る前に混合されるキャビティを含む。例えば、このキャビティは、通常、照明器具の拡散体ケーシング内で形成される。ここで、全てのＴＬＥＤがそれら自身を、異なるＩＤを有する符号化光を放出するように制御する場合、このことは、符号化光信号が互いに位相がずれた状態で重畳されるという点で問題を引き起こす。同様の問題は、所与の照明器具内に別個の独立した符号化光コントローラ及び送信機を有するあらゆる種類の後付け式ランプ又はあらゆるグループのランプで起こり得る。これを防止して、例えば、屋内ローカリゼーションなどの用途を可能にするためにマルチランプ照明器具内の後付け可能なランプが符号化光送信用に使用され得るようにすると有利である（advantagous）。
【００１１】
したがって、本開示の一態様によれば、マルチランプ照明器具内の１つ以上の他のランプと共に使用するための第１のランプであって、各ランプは、所定の符号化光メッセージが埋め込まれた各照明を放出するように動作可能であり、第１のランプは、各照明を放出するための１つ以上の発光要素と、ローカルコントローラと、ローカルコントローラが、マルチランプ照明器具内の１つ以上の他のランプのそれぞれにある対応するコントローラと通信することを可能にするように構成された通信インタフェースであって、通信は、１つ以上の信号を送信すること及び／又は受信することを含む、通信インタフェースと、符号化光メッセージを第１のランプの各照明に変調するように動作可能な符号化光送信機と、を含み、ローカルコントローラは、符号化光メッセージの同期されていないインスタンスがマルチランプ照明器具内のランプのうちの異なるものから送信されることを防止するために、通信インタフェースを介した通信に基づき、１つ以上の他のランプの対応するコントローラと連係するように構成されている、第１のランプが設けられている。これには少なくとも２つの代替案、即ち、ランプが、同一メッセージを選択し、これを同時に送信するために同期するように連係する、そうでなければ、ランプが、ランプのうち１つのみが符号化光を送信するように連係する、のいずれかがある。
【００１２】
したがって、実施形態では、ローカルコントローラは、連係が、第１のランプ及び１つ以上の他のランプのそれぞれが同一の符号化光メッセージの各インスタンスを送信するように連係すること、及びメッセージの全てのインスタンスが同時に開始して送信されるよう同期することを含むように構成されている。例えば、１つのランプは、分散されたプロトコル（protcol）に基づきマスターの役割を果たし、このマスターランプは、その後、他のランプにも使用することを指示するＩＤを決定し、その後、送信時間を整合させるためにランプを同期させる（synchonize）。
【００１３】
例えば、第１のランプは、通常、各照明を放出するための１つ以上の発光要素に給電するために、１つ以上の発光要素をマルチランプ照明器具の電源回路に接続するための、マルチランプ照明器具の相補的なコネクタに（好ましくは（preferbaly）着脱可能に）接続するための機械的なコネクタを含む。実施形態では、第１のランプは、第１のランプと１つ以上の他のランプとに共通するクロック信号を導出するために、電源回路によって供給される電力の電圧及び／又は電流のサイクル変化を（例えば、ゼロ交差を検出することによって）使用するように構成されているタイミング回路を更に含んでもよく、符号化光送信機は、符号化光メッセージの各インスタンスの開始を、クロック信号に同期させるように構成されており、それによって、各（respetive）メッセージの開始を、１つ以上の他のランプによって送信されるメッセージの開始に同期させる。
【００１４】
実施形態では、タイミング回路はディバイダを含んでもよく、符号化光送信機（transmittter）は、クロック信号が、電源のサイクル変化に比べて低い（およそ２０〜１００ｋＨｚのＨＦ安定器周波数を、およそ１〜８ｋＨｚ、又は数１００又は数１０ヘルツもの符号化光メッセージ再送信速度に変換するために、好ましくは（preferbaly）、少なくとも８分の１、又は少なくとも１６分の１、又は少なくとも３２分の１、又は少なくとも５０分の１、又は１００分の１以下もの）周波数を有するように、ディバイダを介してクロックを導出するように構成されている。
【００１５】
別の実施形態では、ローカルコントローラは、第１のランプを、符号化光送信機がメッセージを送信する符号化光送信（tranmission）モードで動作することと、第１のランプが全く符号化光メッセージを送信しない符号化光非送信モードで動作することとの間で選択するように構成されていてもよく、（言及したように）ローカルコントローラは、連係が、第１のランプがメッセージを送信する場合、そのときは、ローカルコントローラは、第１のランプを符号化光送信モードで動作するように選択し、その一方で、他のランプのうちの１つがメッセージを送信する場合、ローカルコントローラは、第１のランプを符号化光非送信モードで動作するように選択するように、マルチランプ照明器具内のランプのうちの１つのみがメッセージを送信し、マルチランプ照明器具内のランプの他のいずれも符号化光を全く送信しないように連係することを含むように構成されていてもよい。即ち、照明器具内の全てのランプはどれが符号化光を送信するかについて同意している。
【００１６】
この特定の実施形態では、ローカルコントローラは、第１のランプを符号化光送信モードの複数の異なるサブステートで動作させることの間で選択するように構成されていてもよく、各サブステートは、メッセージを各照明に異なる変調度で変調し、ローカルコントローラは更に、通信インタフェースを介した通信に基づき、何個の他のランプがマルチランプ照明器具内にあるかを検出し、検出された個数に基づいて異なるサブステート間で選択するように構成されていてもよい。したがって、有利には、（照明器具内の全てのランプから放出される全照明に対する比率としての）全体的な変調度は、わずか１つのランプがメッセージを送信するという事実によって妥協される必要はない。即ち、全てのランプがそれぞれ各照明を同一強度で放出するが、１つのみが変調されたメッセージを有すると仮定すると、そのときは、送信ランプは、多数のランプと共に照明器具内にある場合、少数の他のランプと共に（又は他のランプなしでも）照明器具内にある場合と比較して、その変調度を、（例えば、強度の観点において）より大きな値に設定する。例えば、送信ランプがｍ個の他の非送信ランプと共に照明器具内にある場合、送信ランプは（例えば、強度の観点において）その変調度をｍ倍増加する。
【００１７】
更なる実施形態では、ローカルコントローラは、第１のランプ及び１つ以上の他のランプに、それぞれ各照明の強度を上又は下に調節するように指示する調光信号を受信するように構成されていてもよく、ローカルコントローラは更に、調光信号に応答して、第１のランプが符号化光送信（tranmission）モードにあるという条件下では、第１のランプから放出される各照明を１つ以上の他のランプに対してより小さい割合で（それぞれ上又は下に）調節するが、第１のランプが符号化光非送信モードにあるという条件下では、各照明を、メッセージを送信する他のランプのうちの１つに対してより大きい割合で（それぞれ上又は下に）調節するように構成されていてもよい。これは、送信ランプから符号化光変調のためのいくらかのヘッドルームを有利に維持する。
【００１８】
どのような手段で連係が実現されても、実施形態では、通信インタフェースは、通信を、１つ以上の信号の伝搬が照明器具の物理的特性によって制約され、それによって、１つ以上の信号が同一マルチランプ照明器具内のランプのみの間で通信されることに限定され、任意の他の照明器具とは通信されない、制約された信号チャネルを介して実施するように構成されていてもよい。即ち、器具は、信号に対する封じ込め又は閉じ込め効果を有し、物理的障壁又は障害として機能し、これに基づき、信号が同一照明器具内のランプに閉じ込められることが保証され得る。
【００１９】
とりわけ好適な実施形態では、制約された信号チャネルは、第１のランプ及び１つ以上の他のランプに給電する電源回路（例えば安定器）を含み、通信インタフェースは通信を、電源回路によって供給される電力の電流及び／又は電圧を変調することによって実施するように構成されており、１つ以上の信号の伝搬は、それによって、第１のランプ及び１つ以上の他のランプと同一のマルチランプ照明器具内の電源回路に限定される。即ち、制約された信号チャネルは、照明器具内に組み込まれた電源回路（例えば安定器）を介して信号送信することによって実現されてもよく、即ち、したがって、信号送信媒体は、照明器具の電源回路であり、信号を制約する物理的特徴とは、信号が照明器具内のローカル電源回路（例えば安定器）内のみを移動し、そのため、同一電源回路を共有する他のランプのみに伝えられるということである。例えば、送信回路は、変調を、第１のランプによって電源回路にかけられる負荷を変調することによって実施するように構成されていてもよい。例えば、この変調は、負荷が選択的に短絡される、又は電源回路の入力と出力を選択的（selective）切り換えられるオンオフキーイングを含んでもよい。実施形態では、信号送信のために使用される電源は安定器である。
【００２０】
代替的に、しかしながら、制約される信号送信媒体は、符号化光、超音波及び／又は無線を含んでもよく、１つ以上の信号の伝搬は、照明器具のハウジングの少なくとも一部によって制約される。
【００２１】
実施形態では、第１のランプは、蛍光管を代替するための後付け可能なＬＥＤベースランプの形態をとってもよい。
【００２２】
本明細書中に開示される（dislcosed）別の態様によれば、上記又は本明細書の別の箇所に記載したいずれかの実施形態による第１のランプと１つ以上の他のランプとを含むマルチランプ照明器具が提供される。実施形態では、１つ以上の他のランプは、（上記又は本明細書の別の箇所に記載した実施形態のいずれか１つ以上の観点において）第１のランプと同様に構成されていてもよい。
【００２３】
実施形態では、照明器具は、第１のランプ及び１つ以上の他のランプが収容される共有光学キャビティを含む。例えば、光学キャビティは照明器具の拡散体内に形成されていてもよい。
【００２４】
本明細書中に開示される別の態様によれば、マルチランプ照明器具内のランプのグループを動作させる方法であって、各ランプは、所定の符号化光メッセージが埋め込まれた各照明を放出するように動作可能であり、それぞれが、各々のローカルコントローラを含み、方法は、符号化光メッセージの同期されていないインスタンスが、マルチランプ照明器具内のランプのうちの異なるものから送信されないように連係するために、マルチランプ照明器具内のランプのローカルコントローラ間で通信するステップを含む、方法が提供される。
【００２５】
本明細書中に開示される別の態様によれば、コンピュータ可読ストレージ媒体に組み入れられ、第１のランプのローカルコントローラで実行されると、ローカルコントローラの動作を実施するように構成されているコンピュータプログラムが提供される。
【００２６】
実施形態では、第１のランプ、照明器具、方法、及び／又はコンピュータプログラムのいずれも、本明細書の教示のいずれかに従う特徴を更に含んでもよい。
【図面の簡単な説明】
【００２７】
本開示の理解を補助するために、及び実施形態がいかに実行され得るかを示すために、例として、添付図面の参照が行われる。
【図１】照明システムが配備される環境の概略図である。
【図２】複数のランプを含む照明器具の概略図である。
【図３】ランプの概略ブロック図である。
【図４】複数の（multilpe）ランプを備える照明器具の概略配線図である。
【図５】安定器の概略回路図である。
【図６】別の安定器の概略回路図である。
【図７】ランプの概略回路図である。
【図８】ランプによって検知された電流を示す概略タイミング図である。
【図９】ランプの概略状態図である。
【図１０ａ】同期されていない（unsycnhronized）状態における複数の（multilpe）ランプからの符号化光メッセージの送信（transmittsion）を示すタイミング図である。
【図１０ｂ】同期された（sycnhronized）状態における複数の（multilpe）ランプからの符号化光メッセージの送信（transmittsion）を示すタイミング図である。
【図１１】ゼロ交差検出回路及び符号化光同期を有するランプの概略回路図である。
【図１２】ＨＦ安定器からのクロック信号の導出を示す概略タイミング図（diagarm）である。
【発明を実施するための形態】
【００２８】
以下では、ＴＬＥＤベースのマルチランプ照明器具のＶＬＣを実装するためのいくつかの例示的実施形態を記載する。２つの（又は２つより多い）ＴＬＥＤ管が共有光学コンパートメント内にあるため、２つの管からの光出力は混合される。そのような場合、その後、更なる対策がとられることがなければ、異なるＴＬＥＤ管からのＶＬＣパルスは誤って連結され、結果として、符号化光検出方式は正しいＶＬＣ信号を抽出することができない。
【００２９】
本明細書中に開示される実施形態は、照明器具内の全てのＴＬＥＤ（又はより一般にはランプ）に対して１つの符号化光ＩＤを設定し、種々の管又はランプの符号化光放出を同期させるメカニズムを提供する。あるいは代替的に、実施形態は、符号化光ＩＤを放出するように照明器具内のランプのうちの１つ（single one）のみと折衝するメカニズムを提供する。いずれにせよ、同期されていない符号化光の送信は、したがって、回避される。実施形態では、ランプ間の連係は、通信が同一照明器具内のランプのみに限定されると想定（asumed）され得るように、照明器具の物理的特徴によって制約される通信チャネルを介して互いに通信することによって、例えば、照明器具の安定器を介して信号送信することによって実現される。
【００３０】
システムの概要
図１は、開示される技術が実装されてもよい例示的な照明システムを示す。システムは、環境２内に設置された、又は別の方法で配備された、その環境２に（in into）照明を放出するように構成された１つ以上の照明器具４を含む。環境２は、建物の１つ以上の部屋及び／若しくは廊下などの屋内空間、又は公園、庭、道路、若しくは屋外駐車場などの屋外空間、又はスタジアム、構造化された駐車施設、若しくは東屋などの一部覆われた空間、又は船、列車、若しくは他の車両の内部などの任意の他の空間、又はこのような可能性の任意の組み合わせであってもよい。
【００３１】
照明器具４のそれぞれは、ＬＥＤベースランプ、フィラメント電球、又は高輝度放電（dishcarge）（high intensity discharge、ＨＩＤ）ランプなどの少なくとも１つの各ランプに加え、任意の関連支持物、ケーシング、又は他のこのようなハウジングを含む。照明器具４のそれぞれは、天井若しくは壁取付式照明器具、自立照明器具、ウォールウォッシャ、シャンデリア、又は家具物品、ガラス若しくはコンクリートなどの建築材料、又は任意の他の表面に組み込まれた埋込式照明などのより一般的でない形態などの任意の適切な形態をとってもよい。概して、照明器具４は、環境２に照明を放出するための任意の種類の照明デバイスであってもよい。実施形態では、照明器具４は、環境２を照明するのに好適な照明を放出するように設計されたもの、即ち、機能照明であり、環境２内でユーザが自身の進路を見ること及び見つけることを可能にするように設計及び使用され、その目的に適した規模で照明を与える又は照明に大きく寄与するデバイスである。しかし、機能照明を設けることの代わりに（又は機能照明を設けることと共に）、照明器具４が、タスク照明、アクセント照明、又はムード照明などの照明効果を発生させるように設計されたデバイス、例えば、表面に組み込まれた、色を変化させる埋込式照明器具であることも可能である。
【００３２】
図２に、照明器具４のうちの１つの例が示される。各照明器具４は、電源回路１０と、１つ以上のランプ１２と、ハウジング１４と、を含む。実際には、照明器具４のうちの少なくとも１つ、及び実施形態では、照明器具４のいくつか又は全てはそれぞれ複数のランプ１２を含む。この場合、照明器具４は、照明器具の内部電源回路１０と、複数のランプ１２を、これらのランプ１２に給電するために電源回路１０に接続するためのソケットと、を含む。例えば、例として、図２は、同一照明器具４内の４つのランプ１２ａ、１２ｂ、１２ｃ、１２ｄを示す（しかし、以下の実施形態はこの例を用いて記載（descried）され得るが、これは限定ではなく、照明器具４は他の数のランプ１２を支持してもよいことに留意されたい）。本明細書では、同一照明器具４内にあるとは、当該ランプが同一電源回路１０及び同一ハウジング１４を共有することを意味する。したがって、ランプ１２ａ〜１２ｄは、同一照明器具４内に「同居している」と表現されてもよい。概して、「ハウジング」１４は、器具の任意のケーシング及び／又は支持構造体を意味してもよい。例えば、実施形態では、ハウジング１４は、天井に取り付けるための不透明な上部及び／又は側壁ケーシングに加え、上部ケーシングに機械的に接続された複数のソケットと、ランプ１２ａ〜１２ｄによって下方に放出された照明を環境２に拡散するための下部拡散体要素と、を含んでもよい。しかしながら、別の例示的形態では、「ハウジング」１４は、複数のソケットを支持する（及びケーシング要素は必ずしも存在しない）シャンデリア型構造体などの吊下構造体の形態をとってもよい。
【００３３】
電源回路１０は上流電源１６、例えば、主電源に接続し、これに基づきランプ１２に給電するのに適した電源を生成するように構成されている。例えば、典型的には、電源回路１０は、安定器、即ち、その照明器具４内のランプに供給される電流を制限するためのデバイスの形態をとる。
【００３４】
実施形態では、照明灯４の１つ以上はそれぞれ、複数の蛍光管（即ち、従来のガス放電管）を受け入れるためのソケットを有する蛍光照明器具の形態をとってもよい。この場合、ランプ１２ａ〜１２ｄは、「直管ＬＥＤ」（ＴＬＥＤ）、即ち、従来の蛍光管用に設計された従来の蛍光照明器具内の蛍光管を代替するように設計された後付け可能なＬＥＤベースランプの形態をとってもよい。例えば、ほとんどのオフィス用照明器具は、１つの器具につき２つ乃至４つのＴＬＥＤ管を有する（しかし、全てではなく一部の他の照明器具が１つのみのＴＬＥＤを有してもよいことは排除されない）。
【００３５】
表１は、ＥＭＥＡ（欧州、中東、及びアフリカ）地域及びＮＡＭ（北米）地域における照明器具４当たりのＴＬＥＤ管１２及び安定器１０の典型的な数の概要を示す。ほぼ全ての状況において、照明器具４につき安定器１０は１つしか存在しない。米国では、同一器具内のＴＬＥＤ１２ａ〜１２ｄは、一般に、１つの蛍光灯安定器１０に接続されている。
【００３６】
【表１】
2019528586.tif 000003
【００３７】
図３は、図２との関連で記載した照明器具４内に使用されるランプ１２ａ〜１２ｄのいずれかを示してもよい個々のＴＬＥＤランプ１２を示す。
【００３８】
示されるように、ランプ１２は、ＬＥＤのストリング又は他のアレイなどの実際の照明要素１８を含む。ランプ１２は、また、少なくとも１つのエンドキャップ２０を含み、蛍光管を代替するＴＬＥＤの場合、ランプ１２は、実際には、２つのエンドキャップ２０ｉ、２０ｉｉを含む。各エンドキャップ２０ｉ、２０ｉｉは、照明器具４のソケットを介してランプ１２を安定器１０に接続するための各コネクタ２２を含み、それにより、照明要素１８を安定器１０によって供給される電力に接続する。蛍光管の場合、各コネクタ２２は、実際には、受容フィラメントのいずれかの端子である２つの端子（一対のピン）を含むが、蛍光管を代替するＴＬＥＤの場合、各コネクタの２つの端子は、通常、フィラメントの加熱のない即時始動器具のために共に短絡されている（しかし、プログラム式始動器具では、２つのピン間にいくらかのインピーダンスが必要である）。
【００３９】
更に、ランプ１２の少なくとも１つのエンドキャップ２０ｉは、ランプ１２が、蛍光管又はフィラメント電球などのより旧来のランプの符号化光放出、無線制御式及び／又はＬＥＤベース代替物であることに特化した構成要素である付加的な構成要素を収容するために使用される。これら付加的な構成要素は、（蛍光管などの従来のランプに給電するように設計された）安定器１０によって供給される電力を、ＬＥＤベース照明要素１８を駆動するのに適した電力に変換するための整流器２３及びＬＥＤドライバ２４を含む。整流器２３は、安定器１０によって供給される交流電力を受け取り、交流電力を直流に変換するために、ランプ１２のコネクタ２２ｉ、２２ｉｉに接続されている。ＬＥＤドライバ２４は整流器２３に接続されており、これをＬＥＤベース照明要素１８（例えばＬＥＤストリング）に給電するためのほぼ一定の（しかし、実施形態では、調整可能な）電流源に更に変換し、それにより所望の光出力を照明要素１８から放出させるように構成されている。照明器具の電源回路１０によって供給される電力がすでに直流である場合、整流器２３は必要とされないが、通常、後付け可能なＬＥＤベースランプの場合、照明器具自身の電源回路（例えば安定器）１０からの電力は、実際、交流であり、したがって、整流が必要であることに留意されたい。
【００４０】
更に、エンドキャップ２０ｉ内の付加的な構成要素は、コントローラ２６と、オプションとして、ＺｉｇＢｅｅ、Ｗｉ−Ｆｉ、８０２．１５．４、又はＢｌｕｅｔｏｏｔｈトランシーバなどのラジオトランシーバの形態の無線インタフェース２８と、を含む。コントローラ２６は、ランプ１２の埋め込まれたメモリに格納されたソフトウェア内に実装されてもよく、ランプ１２の埋め込まれた処理デバイス４６上で実行されてもよく、又はコントローラ２６は、専用ハードウェア回路、又はＰＧＡ（programmable gate array）[SA1]若しくはＦＰＧＡ（field-programmable gate array）[SA2]などのコンフィギュラブル又はリコンフィギュラブルハードウェア回路に実装されてもよい。実施形態では、コントローラは、ソフトウェア及び専用ハードウェアＭ１と組み合わせて実装される（後により詳細に記載される図７を参照）。
【００４１】
実施形態では、照明器具４内のランプ１２間の最良の通信のための実装を補助するために、付加的な構成要素を収容しているエンドキャップ２０ｉには、物理的（例えば、可視）マークが付されていてもよい。例えば、物理的マークは、無線がある端部に設けられていてもよく、取付者は、照明器具内のマークを分類するように指示されてもよい。代替的に、１つの色のマークを一端２０ｉに、別の色のマークを他端２０ｉｉに有する色コーディングが使用され得る。例えば、１つのキャップ上の赤色点（及びオプションとして、他方のキャップ上の青色点）と、同一色のキャップは同じ分類であるという命令とが与えられてもよい。
【００４２】
コントローラ２６は、無線インタフェース２８及びＬＥＤドライバ２４に接続されている。コントローラ２６は、専用リモートコントロールデバイス、無線壁スイッチ又は壁パネルなどの手動若しくは自動化された照明コントローラ（図示せず）、又はスマートフォン、タブレット、ラップトップコンピュータ若しくはデスクトップ型コンピュータなどのユーザ端末で実行する照明制御アプリケーションから照明制御命令を受信するために、無線インタフェース２８を使用するように構成されている（例えばプログラムされている）。これに応答して、コントローラ２６は、その後、受信された制御命令に従い照明要素１８の光出力を制御するためにドライバ２４を制御する。例えば、これには、光をオン又はオフにすること、光出力を上又は下に調整すること、光出力の色を変化させること、又は動的（時間変化する）照明効果を作り出すことを含んでもよい。例えば、コントローラ２６は、光出力を調整するために照明要素１８内のＬＥＤに供給される電流レベルを調節することができる、及び／又は光出力の全体的な色を調節するために照明要素１８内のＬＥＤの異なる色のもの若しくはサブアレイに供給される電流レベルを調節することができる。
【００４３】
代替的に又は付加的に、分散されたシステムにおいて、照明器具４のそれぞれは環境光センサ及び／若しくは占有センサ（図示せず）などの１つ以上のセンサを含んでもよい、並びに／又は１つ以上の無線センサが環境２内の別の場所に配置されていてもよい。この場合、コントローラ２６は、例えば、同一照明器具４及び／又は隣接する照明器具４内のセンサの１つ以上からセンサの読み取り値を受信するために、無線インタフェース２８を使用するように構成されていてもよい。これに応答して、コントローラ２６は、その後、例えば、環境光レベルが閾値を超えること若しくは所定の近傍内に何も存在しないことをオン（on）センサが検出すると光を暗くする又はオフにするために、又は環境光レベルが閾値を下回ること若しくは近傍に何かが存在することをセンサが検出すると光を明るくする又はオンにするために、センサの読み取り値に従い、照明要素１８の光出力を制御することができる（又はより一般には、制御は、複数のセンサからのセンサの読み取り値に基づき調節量を算出するより複雑な分散制御アルゴリズムに基づいてもよい）。
【００４４】
更なる実施形態では、コントローラ２６は、また、例えば、現在までの点灯時間を報告するための、ランプの動作温度を報告するための、及び／又は故障を報告するためのステータスレポートを照明コントローラ（図示せず）に送信するために無線インタフェース２８を使用するように構成されていてもよい。
【００４５】
しかしながら、上述の又はこのような種々のアクティビティを実施することができるように、これにはまず、ランプ１２がコミッショニングされることが必要である。即ち、ランプ１２は、識別され、ＺｉｇＢｅｅ、Ｗｉ−Ｆｉ、８０２．１５．４、又はＢｌｕｅｔｏｏｔｈネットワークなどの無線ネットワークに参加させる必要がある。この無線ネットワークは、したがって、各ランプ１２の無線インタフェース２８が、その後、運用段階において、照明コントローラ（図示せず）から照明制御命令を受信することができる、センサからセンサの読み取り値を受信することができる、及び／又はステータスレポートを照明コントローラに送信することができる手段を提供する。以下はＺｉｇＢｅｅの観点から記載されるが、これは必ずしも限定ではないことは理解されよう。
【００４６】
非同期送信の防止
例えば、符号化光簡単取付ＴＬＥＤをベースにした食料品及び大型小売店用の屋内ポジショニング用途を可能にするために、ＴＬＥＤ等などの後付け可能なＬＥＤベースランプに符号化光機能を含むことも望ましい。簡単取付ＴＬＥＤ又は屋内ポジショニングなどの符号化光用途（applictaions）用の他のそのような後付けランプを用いることで、このことにより、有利なことには、照明器具４自体を交換する又は改修するよりもむしろランプ交換によって符号化光機能（functionalty）を含むように照明システムのより迅速なアップグレードを可能にする。以下の実施形態は、例として、ＴＬＥＤの観点から記載され得るが、類似の（simialr）教示が他の後付け可能なＬＥＤベースランプ（例えばフィラメント電球の代替物）又は一般に符号化光放出ランプに当てはまり得ることは理解されよう。
【００４７】
実施形態では、ＴＬＥＤが取り付けられる照明器具に固有の、固定された工場設定ＶＬＣ符号を発するＴＬＥＤ製品を提供することが望ましい。ＶＬＣ  ＴＬＥＤの魅力は、部品コスト及び据え付けの容易さの両方の点における、基礎となるＴＬＥＤプラットフォームの高いコスト競争力である。非スマートＴＬＥＤに符号化光機能を付加することで、むしろ限定されたコスト上昇（約１０％の追加ＢＯＭ（bill of materials、部品表）コスト）につながり、これは屋内ローカリゼーション小売用途によって発生する潜在値に比べて低い。オプションとして、ＺｉｇＢｅｅベース無線ＴＬＥＤの符号化光バージョンもまた、例えば、より容易なコミッショニングのイネーブラとして（to as enabler）のため魅力的であり得る。
【００４８】
ＶＬＣ符号を発する符号化光ＴＬＥＤは、ベアバッテン（bare batten）光などの単一管のみの照明器具を有する施設に適用される場合に良好に機能する。しかしながら、２つのＴＬＥＤが共有光学コンパートメント内に配置される場合、２つの管からの光は混合されるであろう。種々の管からのＶＬＣパルスは誤って連結されることになるため、符号化光検出方式は管のＶＬＣ信号を抽出することができない。ここでも、他の種類の符号化光放出ランプに関しても類似のコメントが当てはまり得る。
【００４９】
この課題に対処するために、本開示の実施形態は、同一光学チャンバ内の全ての管を分類し（好ましくは（preferbaly）これらを自動分類し）、その後、それらの符号化光パターンを自動的に同期させるメカニズムを提供する。例えば、このプロセスは以下のとおりであってもよい。
Ｉ）どのランプ１２が同一照明器具４内にあるかを決定する（空間的近接の決定を基に自動的に、又はコミッショニングツール、例えば、ＺｉｇＢｅｅ又はＮＦＣ（近接場通信（communcation））コンフィギュレーションツールによるものなど他の手段によって、のいずれか）、
ＩＩ）同一照明器具４内にあることが判明したランプ１２ａ〜１２ｄの両方（又は全て）に（例えば、ＺｉｇＢｅｅ又はＮＦＣツールなどのコミッショニング（commissioing）ツールによって）同一符号化光ＩＤを割り当てる、及び
ＩＩＩ）同一照明器具内のランプ間で通信する（communcating）ことによってランプ１２ａ〜１２ｄの符号化光放出パターンを同期させる。代替的に、ランプ１２ａ〜１２ｄは、これらの１つのみが符号化光を放出し、その他が非符号化照明のみを放出するように折衝してもよい。
【００５０】
実施形態では、ランプの空間的近接は、受信された信号の強度、又は１つのＴＬＥＤから放出され、別のＴＬＥＤによって検出された信号の飛行時間の測定によって検出される。空間的近接を決定するために使用される信号は、可視光、不可視光、無線、熱、音声又は超音波信号であり得る。あるいは、この変形形態では、空間的近接は、ランプ１２ａの少なくとも１つから、同一照明器具内に認められたこれら他のランプ１２ｂ〜１２ｄのみによって信号が受信されるように信号の伝搬が照明器具４の物理的特性によって制約される「制約された信号チャネル」上で信号を送信することによって検出されてもよい。このようにして、ランプ１２は、それらが照明器具４を他のどのランプと共有しているのかを検出することができる。
【００５１】
実施形態では、制約された信号チャネルは、また、照明器具４内のランプ１２ａ〜１２ｄが同一符号を同時に放出するようにするために、又は照明器具４内のランプの１つのみが符号を放出するようにするために互いに連係することが必要な、照明器具４内のランプ１２ａ〜１２ｄ間で通信を行うために使用されてもよい。
【００５２】
図１１は、本明細書中に開示される実施形態による例示的なＴＬＥＤ回路を示す。図３との関連ですでに記載した（及び図７との関連で後述される）構成要素に加えて、回路は、符号化光変調器７６と、変調器スイッチ７０と、オプションとして、ゼロ交差検出器７２と、カウンタの形態のディバイダ７４と、を含む。変調スイッチは、１つ以上の照明要素（この場合ＬＥＤ）１８と、例えば、これらと直列で接続されている。符号化光変調器７６は、変調スイッチ７０に接続されており、変調スイッチ７０を切り換えるように構成されており、それによって１つ以上の照明要素１８によって放出された照明の強度などの性質を変調する。マイクロコントローラ４６は、符号化光変調器７６に接続されており、１つ以上の照明要素１８によって放出された照明を、変調スイッチ７０を介して変調するために、符号化光変調器７６を制御するように構成されている。とりわけ、マイクロコントローラ４６は、照明にメッセージ（即ち、データ又は信号）、例えば、照明器具４のＩＤとして機能する符号を埋め込むために、照明を変調するように変調器７６を制御するよう構成されている。
【００５３】
図１１には、概略の目的でオンオフスイッチが示されているが、実施形態では、変調は、完全なオンと完全なオフとの間での照明の切り換えを含む必要はなく、むしろ、例えば、名目強度の＋１０％〜−１０％などの２つの非ゼロレベル間の切り換えであることに留意されたい。あるいは他の実施形態では、２つを超えるレベルが使用されてもよく、ましては連続（continously）可変変調が使用され得る。種々の符号化光符号化方式はそれら自体が当業者に周知であり、ここでは詳細に繰り返されない。
【００５４】
実施形態では、符号化光変調器７６は、安定器１０によってランプ１２に供給される電圧及び／又は電流の高周波（high frequency、ＨＦ）発振からクロック信号を導出し、このクロック信号に従い符号化光メッセージの送信（transmision）のタイミングを合わせるように構成されている。これを行うために、実施形態では、ゼロ交差検出器７２が、安定器１０に接続している入力線２２の１つに接続されており、安定器１０からこの線２２ｉ／ｉｉで供給される正弦的に変化する電圧又は電流にゼロ交差が検出される度に肯定アサーション（論理値真信号）を出力するように構成されている。好ましくは（Perferably）、ゼロ交差検出器７２の出力は、カウンタを含むディバイダ７４の入力に接続されている。この場合、カウンタ７４は、ゼロ交差検出器７２から肯定アサーションが出力される度にクロック制御される。カウンタ７４はある所定数のカウンタ長を有し、例えば、４ビットカウンタであれば、長さ１６を有し、即ち、カウンタ値１６を０から１５までサイクルする。カウンタ７４がこのカウント数までサイクルする度に、カウンタ７４は符号化光変調器７６に肯定（possitive）アサーション（論理値真信号）を出力する。したがって、カウンタ７４は、ゼロ交差検出器７２から出力された信号の周波数（安定器のＨＦ周波数の２倍に等しい）を１６などの所定の数で割る。符号化光変調器７６は、ディバイダ７４の出力（ouptut）によって、即ち、ディバイダ７４からの肯定アサーションにつき１回（論理真につき１回）トリガされ、符号化光メッセージを繰り返し送信するように構成されていてもよい。ここではＴＬＥＤの安定器１０の観点で記載したが、同じ原理はその電源にサイクリック又は周期的構成要素を有するあらゆるランプに当てはまり得ることに留意されたい。
【００５５】
実施形態の第１のカテゴリでは、異なるランプ１２ａ〜１２ｄのマイクロコントローラ４６は、ランプ１２ａ〜１２ｄの符号化光放出を同期させるために互いに連係するように構成されている。特定の実施形態では、これを行うことに関与する通信は、「制約された信号チャネル」を介して通信することによって（achived）実現されてもよい。即ち、信号の伝搬が照明器具の物理的特性によって制限されるように、通信チャネルは照明器具の物理的特徴によって制約される。したがって、信号は、同一照明器具４内のランプ１２ａ〜１２ｄによってのみ受信され、当該照明器具４の外部の環境内に存在してもよい他のランプ１２によっては受信されない。例えば、これは、（例えば、安定器１０の負荷変動により）各照明器具４内のランプ１２ａ〜１２ｄの各グループに給電する電源回路１０の電圧及び／又は電流に変調される信号によって実現されてもよい。別の例として、制約付きチャネルは、符号化光、無線又は超音波を用いる信号によって実装することができ、照明器具（lumainre）４のハウジングの少なくとも一部は照明器具４の外部の信号の伝搬を遮断するためのシールドとして構成されている。制約された信号チャネルを実装するための例の詳細は、後により詳細に説明される。
【００５６】
したがって、ランプ１２（又はむしろそのマイクロコントローラ４６）がこのチャネル上で信号を送信する場合、同一照明器具内の他のランプのみが信号を受信すると想定することができる。同様に、ランプ１２によりこのようなチャネル上で信号が受信される場合、これは同一照明器具４内の別のランプから杖（cane）と想定することができる。したがって、このようなチャネル上で通信することによって、ランプ１２が、同一照明器具（lumainire）４内の他のどのランプがそれらの仲間であるかを検出することが可能である。例えば、ランプ１２は、隣接するランプ構成要素を、コミッショニング時にその構成要素から制約付きチャネル上で信号を受信することによって、又はコミッショニング後の後の段階に古いランプが交換されたときに新しいランプを検出したことに応答して、検出するように構成されていてもよい。
【００５７】
更に、実施形態では、ランプ１２（又はむしろそれらの各マイクロコントローラ４６）は、同一照明器具４内のランプ１２ａ〜１２ｄが全て同一の符号化光メッセージを発するようにするために同一照明器具４内のランプ１２ａ〜１２ｄ間に必要な連係を実施するために、この種のチャネル上で互いに通信するように構成されている。レガシー蛍光灯安定器１０のＨＦ出力は、その後、同期クロック信号を、例えば、上述の手法（technqiue）に基づき導出するために使用され得る。同一蛍光灯安定器１０に接続されたランプのみがこの安定器の電力出力にさらされるため、このことは、これらが全て、同一の時間整合を有する同一の同期クロック信号を導出し、このため、それぞれが符号化光メッセージのそれらの各インスタンスを同時に送信するようにトリガされることを意味する。この１つの実装形態によれば、言及したように、ゼロ交差検出器７２は、蛍光灯安定器１０の高周波出力のゼロ交差を検出するように構成されていてもよく、カウンタ７４が、（例えば、ＨＦ振動数を整数で割ることによって）同期信号の周波数を低下させるために使用されてもよい。
【００５８】
この別の形態として、同期は、例えば、この場合も、電源回路１０の電圧及び／又は電流の変調により、制約された信号チャネル上で１つのランプ１２ａから他のランプ１２ｂ〜１２ｄに信号送信することによって実現され（achived）てもよい。この場合、１つのマスターランプ（例えば１２ａ）のコントローラ４６が照明器具内の他のランプ１２ｂ〜１２ｄに、マスターランプ１２ａによって使用される、その符号化光メッセージの各インスタンスを送信するためのタイミングを示すと共に、他のランプ１２ｂ〜１２ｄ（又はむしろそれらのコントローラ４６）が、マスターランプ１２ａからのメッセージの送信に一致するようにそれらのメッセージの各インスタンスの送信のタイミングを合わせるために使用する同期信号を能動的に送信するように構成されている。
【００５９】
好適な実施形態では、どのランプが同一照明器具内にあるかを検出するため、及びこれらの間の連係に関与する通信を行う（perfrom）ため、の両方に制約された信号チャネルを使用するが、全ての可能な実施形態においてこれは必須ではないことにも留意されたい。代替的に、例えば、制約された信号チャネルは、最初に、コミッショニング時にのみ、どのランプ１２が同一照明器具４内にあるかを検出するために使用されてもよく、その後、これに基づき、コミッショニングプロセスの一部として、Ｗｉ−Ｆｉ又はＺｉｇＢｅｅネットワークなどのＲＦ無線ネットワーク内のこれらのランプのアドレスが決定されてもよい。アドレスは、その後、これらのアドレスを有するランプが照明器具を共有するという表示と共に、各ランプ１２がアクセスを有する場所に格納されてもよい（例えば、各ランプはそれ自身の埋め込まれたメモリに、他のランプのそれぞれのアドレスをローカルに格納する、又はアドレスは、ランプ１２のそれぞれにアクセス可能なサーバなどの場所のランプ対照明器具マッピングデータベースに、中央に格納される）。その後、ネットワークアドレスがわかり、格納されると、同一照明器具４内のランプ１２のマイクロコントローラ４６は、これらを、各々の無線インタフェース２８を介してＲＦネットワーク、例えば、Ｗｉ−ｆｉ又はＺｉｇＢｅｅネットワーク上で互いに通信する（communciate）ために使用することができる。
【００６０】
あるいは、更なる代替形態として、制約された信号チャネルは全く使用される必要はない。例えば、ランプ間の近接は、ランプの少なくとも１つ（例えば１２ａ）から無線信号を送信し、その後、受信された信号の強度、又は信号の範囲内の他のそれぞれのランプ１２で受信された信号の飛行時間などの距離に依存する性質を測定することによって検出されてもよい。例えば、これは、ＲＦ、超音波、可視光、赤外線、又は紫外線信号であり得る。照明器具４内のランプ間の距離の所定の知識を基に、その後、ランプのコントローラ４６又はコミッショニングツール、又はコミッショニング技術者が、どのランプ１２ａ〜１２ｄが同一照明器具４内に認められるかを決定することができ、これらのアドレスを格納することができる。更に別の可能性として、どのランプ１２が照明器具を共有しているかが、各ランプ１２に組み込まれた近接場通信（ＮＦＣ）技術に基づき検出され得るか、又はコミッショニング技術者によって手動で決定され得る。
【００６１】
ここで、好適な実施形態の段階的な説明を、以下、記載する。
【００６２】
第１のステップは、同一器具４内の１つのマスターランプを識別することである。これは、いくつかの手法で、例えば、ＮＦＣを介した取付者のアクションによって、又は制約された信号チャネルなどを介した自動化されたプロセスによって実現され得る。実施形態では、それぞれの所与のランプ１２は、マスターモード又はスレーブモードのいずれかで動作することが可能である。マスターモードでは、ランプ１２は同期、及びオプションとして、符号化光ＩＤを発生させる一方で、スレーブモードでは、ランプ１２はマスターから同期信号及びＩＤを受信する。
【００６３】
実施形態では、ランプ１２のマイクロコントローラ４６は、それらのうちどれがマスターになり、どれがスレーブであるかを決定するために、分散されたプロトコルに従い動作するように構成されている。この選択は、コミッショニング時に１度、又は継続的な手法で、例えば、定期的に若しくは照明器具４内の古いランプが新しいランプに交換されるなどのあるイベントに応答して行われてもよい。
【００６４】
実施形態では、分散されたプロトコルは、異なるランプ１２ａ〜１２ｄのマイクロコントローラ４６間で折衝することを伴ってもよい。実施形態では、ランプ１２が、それらが同一照明器具４内のそれらの隣接物のみとの間で折衝していることがわかるように、この折衝は、（例えば、安定器１０により信号送信することによって）制約された信号チャネルを介して行われてもよい。代替的に、折衝は、同一照明器具４内のランプ１２ａ〜１２ｄ（又はむしろそれらのマイクロコントローラ４６）のアドレスが互いに既知である場合、無線ＲＦネットワーク及び無線インタフェース２８などを介して、他の手段により行われてもよい。いくつかの特定の実施形態では、どのランプ１２がマスターであるかを決定することには、各ランプ１２が信号送信を開始する前の各ランダム遅延を伴ってもよく、ランダム遅延期間が終了する時点まで、それぞれの所与のランプ１２のマイクロコントローラ４６は同一照明器具４内の他のランプからの信号をリッスンしなければならず、最初に信号送信したものがマスターになる。ランプ１２は衝突回避のためにＡＬＯＨＡプロトコルに従ってもよい。照明器具４内のどのランプ１２がマスターになり、どれがスレーブであるかを選択するための特定の例示的プロトコルについては後により詳細に記載される。しかしながら、これは限定ではなく、概して、当業者であれば、構成要素のグループが、それらのうちのどれがマスターになり、どれがマスターに対するスレーブになるかを決定することができる、他の適切な分散されたマスタースレーブプロトコルを認識するであろう。
【００６５】
以下は、第１のランプ１２ａがマスターになるように選択され、１つ以上の他のランプ１２ｂ〜１２ｄがスレーブになるように選択されたかのように記載される。しかしながら、これは単に例示であり、実施形態では、各ランプ１２ａ〜１２ｄは「開封した」ばかりのときは同様に構成されており、それぞれがマスターになる同等の可能性を有してもよいことは理解されよう。
【００６６】
マスターを選択した後の第２のステップとして、マスターランプ１２ａは（例えば、電源投入後）に同期を開始する。符号化光放出の同期に加えて、マスター１２ａは、オプションとして、照明器具４内の全てのランプ１２ａ〜１２ｄによって放出されるべき１つの符号化光ＩＤを設定してもよい。実施形態では、これらアクションのそれぞれは、好ましくは（preferbaly）、共通の電源への信号を、例えば、安定器１０により変調することなどによって、制約された信号チャネル上でマスター１２ａのマイクロコントローラ４６からスレーブ１２ｂ〜１２ｄの各マイクロコントローラ４６に信号送信することによって実現される。代替的に、しかしながら、同一照明器具４内のランプ１２ａ〜１２ｄのアドレスが互いに既知である場合、これは、無線ＲＦネットワーク及び無線インタフェース２８などを介する、他の手段によるものであり得る。
【００６７】
第３のステップとして、マスターランプ１２ａ及びスレーブランプ１２ａ〜１２ｄのそれぞれは、ランプ１２ａ〜１２ｄのＶＬＣ信号をある時間にわたって同期されたままにするために、安定器１０のＨＦ出力をクロック信号として使用する。これは図１１及び図１２に示される。
【００６８】
示されるように、各ランプ１２のゼロ交差検出器７２の入力は、安定器１０からの各電力入力線のうちの１つにおいてポイントＡに接続されている。ゼロ交差検出器７２は、ランプ１２の入力整流器の電圧をセンシングすることによってＨＦ電源のゼロ交差を検出する。このＡから検出された信号は矩形波に近いが、ゼロ交差検出器は、また、矩形波のエッジを、図１２で「ｚｃｄ」の符号が付された、パルスに変換するように構成されている。
【００６９】
しかしながら、典型的なＨＦ安定器の出力周波数は２０ｋＨｚ〜１００ｋＨｚである。この周波数は単純な符号化光用途には高すぎる。これに対処するために、カウンタ７４は、ＨＦ信号に基づき、より低い周波数のパルスストリーム「ｓｙｎｃ＿ｃｋ」を生成するように構成されている。即ち、ｚｃｄ信号パルスは、カウンタ７４を、所定の上限値まで各入力パルスで１増分するようにクロック制御する、カウンタ７４の入力クロック信号として使用され、その後、カウンタ７４は、リセットし、所定の下限値から、典型的には（typicaly）ゼロから再度計数を開始する（つまり、同等に、カウンタは上ｔ下限値からカウントダウンすることができる）。カウンタ７４はそれが上限値と下限値との間でサイクルする度にその出力でパルスを生成するように構成されており、したがって、ゼロ交差検出器７２によって供給されるものより低い周波数でパルスのシーケンスを生成する。
【００７０】
カウンタ７４の出力は、ＶＬＣ変調器７６の同期クロック信号として使用される。例えば、カウンタはｍビットカウンタであると仮定する。その場合、同期信号の周波数は、２＾ｍで割った安定器の出力周波数である。ＶＬＣの信頼性の高い動作のためには、同期信号は、好ましくは、およそ数１０ヘルツのものとすべきである。例示的実装として、実施形態は、１６ビットデータ及び８ビットＣＲＣ（Cyclic Redundancy Check、巡回冗長検査）[SA3]からなる２４ビットが連続的に繰り返される、２ＫＨｚシンボルクロックを使用してもよい。したがって、各メッセージは３５ｍｓ（ほぼスマートフォンのカメラのフレーム時間）かかる。
【００７１】
マスター及びスレーブランプ１２ａ〜１２ｄのそれぞれの符号化光変調器７６がカウンタ７４の出力からパルスを検出する度に、マスターランプ１２ａによって割り当てられた（allcoated）符号化光メッセージのインスタンスを放出するようにトリガされる。したがって、各インスタンスの開始は他のインスタンスと時間をそろえられる。更に、スレーブランプのそれぞれの各マイクロコントローラはマスターによって、同一メッセージ（例えば同一ＩＤ符号）を送信するように命令されるため、マスター及びスレーブランプ１２ａ〜１２ｄのそれぞれから放出される各メッセージのインスタンスは同一であり、それぞれは同一の長さのものであり、それぞれは同一シンボルの同一シーケンス（例えばビット）を含む。変調スイッチ７０はＬＥＤ電流、及びしたがって、ランプ１２によって発生する光を変調する。したがって、ＶＬＣの同期信号を生成するために同一安定器に接続された全てのランプに同一ＨＦ信号を使用させることによって、安定器からのＨＦ入力信号を、ＴＬＥＤなどのランプ１２からの符号化光メッセージを同期した状態に維持するための手段として利用することが可能である。
【００７２】
これは、同期されていないケースを示す図１０ａの対照として、図１０ｂに示される。同期なしでは、ランプ１２ａ〜１２ｄが同一符号を放出する（これも保証され（gauranteed）なくてもよい）ように構成されていたとしても、異なるランプ１２ａ〜１２ｄからの符号のインスタンスは全て、異なる時間に開始する状態で伝送されるであろう。ランプ１２ａ〜１２ｄが、また、同一光学キャビティ（例えば同一拡散体）を共有する同一照明器具内にある場合、異なるランプ１２ａ〜１２ｄからの符号を搬送する光は破壊的に混合されることになり、符号は、したがって、符号化光検出器が検出及び復号することが困難に、又は不可能にさえもなる可能性がある。しかしながら、図１０ｂに示されるような同期によって、符号のインスタンスは構造的に（constructvely）付加するため、検出は可能である。
【００７３】
上記のオプションの変形形態では、ランプ１２のそれぞれには、また、水晶クロック（図示せず）が備えられていてもよい。しかしながら、ＴＬＥＤ管などのランプ１２ａ〜１２ｄの水晶クロックは互いに対してドリフトする。実施形態では、各ランプ１２ａ〜１２ｄの符号化光変調器７６は、水晶クロックを基にメッセージ送信をクロック制御するのみならず、同一照明器具４内のランプ１２ａ〜１２ｄの符号化光信号を、制約された信号チャネルを通じて各マイクロコントローラ４６間で交換される（exhanged）信号に基づき、規則的な間隔で、例えば１時間毎に同期させるように構成されていてもよい。
【００７４】
実施形態の第２の、別のカテゴリにおいては、上記の第２のステップは省略されてもよい。その場合、照明器具４内のマスターランプ１２ａを決定した後、その後、照明器具内の複数の異なるランプ１２ａ〜１２ｄからの送信を同期するよりもむしろ、代わりとして、このマスターランプ１２ａのみが符号化光を放出し、その一方で、スレーブランプ１２ｂ〜１２ｄは符号化光なしで一定の照明出力のみを放出する。例えば、マスターは、スレーブに、符号化光を送信しないように明示的に命令してもよく、又はスレーブは、それらがスレーブモードに入るべきであると決定されると、それらは符号化光を送信すべきではないことを暗黙的に（implictly）理解するように構成されていてもよい。
【００７５】
この場合も、実施形態では、この状態を課すためのマスター１２ａとスレーブ１２ｂ〜１２ｄとの間に伴う通信は、制約された信号チャネル上で、例えば、ランプ１０によって、例えば、安定器１０より共有される電源への信号を変調することによって、行われてもよい。代替的に、同一照明器具４内のランプ１２ａ〜１２ｄのアドレスが互いに既知である場合、この通信は、無線ＲＦネットワーク及び各無線インタフェース２８を介するなど、他の手段を介して行われ得る。
【００７６】
この第２のカテゴリのいくつかの実施形態では、ランプ１２ａの１つのみが符号化光メッセージを送信し、その他の１２ｂ〜１２ｄは送信しないということによって照明器具４の照明機能が損なわれないようにするための付加的な対策がとられてもよいことに留意されたい。
【００７７】
例えば、実施形態では、マイクロコントローラ４６は、他のランプが「非放出」モードにある一方で、マスターランプ１２ａを、符号化光を送信するように制御する場合、そのときは、マイクロコントローラ４６はいくつのランプ１２ａ〜１２ｄが同一照明器具（lumiaire）４内に存在するかを検出し、マスターランプ１２ａによって放出される符号化光の変調度を対応するように適応させる（変調度は、メッセージのシンボルを示すように変調される性質、典型的には強度、の最大変調レベルと最小（minium）変調レベルとの間の差であり、即ち、したがって、最大強度と最小強度との間の差である）ように構成されていてもよい。即ち、照明器具４内のランプ１２の数がそれぞれ２、３、...、又はｋである場合、マスターランプ１２ａは、その変調度を、２、３、...、又はｋと１つのランプのレベルとの積に設定するように構成されている。この理由は、変調度は、照明器具４内の他のランプ１２ｂ〜１２ｄによって放出されている非符号化光の量の中で検出可能な状態を維持するために好ましくは（preferbaly）調整されるべきであるからである。例えば、２つのＴＬＥＤの場合、マスターＴＬＥＤとスレーブＴＬＥＤとの組み合わせの総変調度が用途の目標値に達し、正常値又は公称値の符号化光を送信する１つのみのＴＬＥＤが存在するかのように同じ比率の総光レベルに留まるように、マスターＴＬＥＤはその変調度をその正常値又は公称値の２倍（単独で送信する場合、それが使用する変調度（dpeth）の２倍）に調節する。
【００７８】
代替的な又は付加的な実施形態では、マイクロコントローラ４６は、（調光命令が、調光器スイッチ、若しくはユーザ端末で実行する照明制御アプリケーションなどのユーザ入力デバイスから、又は集中建物若しくは照明コントローラから又はローカル若しくはリモートセンサからなどの自動化された照明制御手段から来ることができる場合）、その調光命令に対する応答が、それが現在、符号化光メッセージを送信するマスター又は符号化光を送信しないスレーブの役割にあるかどうかに依存するように構成されていてもよい。とりわけ、マイクロコントローラ４６は、その照明出力を、そのランプ１２ａがマスターであればより少ない程度、及びそのランプ１２ｂ〜１２ｄがスレーブであればより大きな程度調整するが、照明器具４内の全てのランプ１２を合わせたものからの調光命令に対する全体的な応答は調光命令になお従う（即ち、照明全体を、調光命令によって指定された量だけなお上又は下に調整する）ように構成されている。この理由は、調光されるｋ個のランプがあり、このランプが符号化光を放出している場合、そのときは、符号化光（振幅）変調のための（ランプ毎の）ヘッドルームが低くなりすぎるリスクがあることである。これを回避するために、ランプ間で調光を連係させることが望ましい場合がある。このため、ランプ１２（又はむしろそれらのマイクロコントローラ４６）は、１つ又は２つのランプを、符号化光放出のためのヘッドルームを維持するために、及びその他のランプのいくつかをより多く調光するよう補償するために、より少なく調光することを選択する可能性がある。これは、光が照明器具４から出る前に拡散体などの要素によって混合される場合にとりわけ当てはまる（ランプ１２がよく見える状態の場合にはあまり当てはまらない）。
【００７９】
別の更に代替的な又は付加的な実施形態では、ランプ１２のマイクロコントローラ４６は、ランプ１２ａの１つのみが符号化光を放出し、他のランプ１２ｂ〜１２ｄが「非放出」に設定されている場合の自動フェイルオーバを提供するように構成されていてもよい。即ち、他のランプ１２ｂ〜１２ｄのマイクロコントローラ４６は、符号化光放出ランプ１２ａが破損したかどうかを検出し（例えば、制約された信号チャネルを介して又はＲＦ無線ネットワークを介して（voia）これを検出する）、破損していれば、（照明器具内に２つを超えるランプがある場合、どれであるかを決定するために折衝又は分散されたプロトコルを使用して、例えば、制約された信号チャネル又はＲＦ無線ネットワークを通じて折衝して）「非放出」ランプ１２ｂ〜１２ｄのうちの１つが符号化光の送信を開始するように動作するように構成されている。また、破損したランプ１２ａが工場の新しいランプと交換される場合、コミッショニングを行う者によるアクションは必要とされない。
【００８０】
自動分類及びマスター／スレーブの役割
以下は、態様の中でもとりわけ、マルチランプ照明器具４内の複数のランプ１２ａ〜１２ｄのうちのどれがマスター（又は「リーダ」）として機能し、どれがスレーブ（又は「フォロワ」）として機能するかを選択するための分散された（distibuted）プロトコルを含むコミッショニング法を記載する。記載されるマスター及びスレーブを選択するためのプロトコルは、以下に記載される他の特徴がそれと共に用いられるか否かを問わず、（照明器具４内の全てのランプ１２がＩＤを放出する実施形態において）符号化光ＩＤを決定する目的でどのランプ１２がマスターになるかを、又は（照明器具４内のランプ１２のうちの１つのみがＩＤを放出する実施形態において）どれが他のランプの符号化光メッセージを送信するかという意味でどれがマスターであるかを決定するために使用されてもよい。どれがマスターになるかを決定するプロセスは、コミッショニング段階時に及び／又はコミッショニング後にアドホック状態で、例えば、定期的に実施されてもよく、又は照明器具への新しいランプの付加（ランプ交換）に応答してトリガされてもよい。
【００８１】
以下は、また、コミッショニング時にどのランプ１２ａ〜１２ｄが同一照明器具４を共有しているかが検出（deetcted）されてもよく、これらランプを自動分類するためのオプションのプロセスを記載する。
【００８２】
言及したように、コネクテッドランプの１つの種類は、従来の蛍光管用に設計された照明器具に後付けする簡単取付「直管ＬＥＤ」（ＴＬＥＤ）ランプである。簡単取付ＴＬＥＤ手法によれば、既存の固定出力蛍光灯安定器、ＴＬＥＤランプホルダ、及びまた、照明器具内の全ての電気配線は変わらないままである。簡単なランプ交換によって、既存の「ダム（dumb）」蛍光管は（又は「ダム」ＴＬＥＤ管さえも）、それぞれが個々の組み込み式無線ラジオを有する調光可能なコネクテッドＴＬＥＤと交換され得る。
【００８３】
しかしながら、オフィス内の全ての旧式の管をＴＬＥＤ等と交換するためのプロジェクトは、コミッショニングプロセスを必要とする。
【００８４】
（各個々の無線ランプに含まれる無線インタフェースに対して）無線インタフェースが各照明器具ベースで各照明器具のハウジング内に含まれる無線照明器具の構成のコミッショニングのプロセスを考えられたい。これを行うために、コミッショニング技術者は自身がコミッショニングしようとする各照明器具の下に（又はそれが見える近傍に）立ち、その照明器具であると自身が考えるものを、コミッショニングツール（例えば、専用のコミッショニングデバイス、又はスマートフォン、タブレット、若しくはラップトップ型コンピュータなどのモバイルユーザ端末で実行するコミッショニングアプリケーション）のユーザインタフェース上で選択しなければならない。コミッショニングツールは、その後、選択した照明器具の識別子を含むコミッショニング要求を一斉送信し、これに応答して、その識別子を有する照明器具は（例えば、そのランプ又は別個の表示灯による点滅により）視覚表示を発する。このようにして、技術者は、選択した照明器具が実際に、自身がコミッショニングしようとする照明器具であるかどうかを確認することができる。そうであれば、技術者は、その後、これをコミッショニングツールで確定し、これに応答して、ツールは確定された照明器具を、次の運用段階において光を制御するために、無線ネットワークに追加する。コミッショニング技術者は、その後、コミッショニングされる各照明器具（例えば、オフィス内の全ての照明器具）に対してこれを繰り返す。
【００８５】
代替として、コミッショニングプロセス時に特定の照明器具を識別するために、ポインティング法も適用されることがある。１つの例は、赤外線受信機を備える照明器具に直接ポイントされる赤外線遠隔制御である。別の方法は、高出力のトーチライトで特定の照明器具の照度センサを照らすことによって照明器具を選択することである。
【００８６】
ここで、各個々の無線ランプ内に無線インタフェースが含まれる場合を考えられたい。典型的なオフィス用途では、各照明器具に４つのＴＬＥＤが含まれる。簡単取付コネクテッドＴＬＥＤベースの解決策は、したがって、無線照明器具改修キット（例えば、Ｐｈｉｌｐｓ  Ｅｖｏｋｉｔ製品）又は新たな無線照明器具のいずれかを適用する競合の手法よりも４倍大きな数の無線ノードをもたらす。したがって、コネクテッドＴＬＥＤに対する現在の最先端の解決策は、空間当たりの非常に大きな数の無線ノードのせいで、非常に高いコミッショニング労力を生じさせる。即ち、コミッショニング技術者は、各照明器具だけでなく各ランプに対し、上記のステップを、各個々のランプの下又はそれが見える近傍に立ち、その識別情報を確認するためにそれを点滅させ、その後、各ランプを制御ネットワークに個々に参加させることによって実施しなければならない。コミッショニング技術者は、また、コミッショニング段階の終了後、それらがグループとして制御される（例えば、調光される）ことを可能にするために、どのランプが同一照明器具の一部であるかを識別しなければならない場合がある。更に、このようなプロセスには、通常、比較的高度な技能を有するコミッショニング技術者が必要である。
【００８７】
以下は、同一照明器具内にある複数のコネクテッドＴＬＥＤ管、又は他のそのような無線ランプの自動分類のための自動コミッショニング法を提供する。実施形態では、自動分類法は、照明器具内にあるＴＬＥＤが１つの共通の蛍光灯安定器に有線で接続されているという見解の上に成り立つ。このことを利用するために、１つのマスターＴＬＥＤにより安定器に刻印された意図的な負荷変動パターンによって、ＴＬＥＤが同一安定器を共有するという検証が実施される。蛍光灯安定器が受ける負荷変動は、安定器の種類に応じて、安定器の周波数のシフト及び／又は蛍光灯安定器により照明器具内の他のスレーブＴＬＥＤに与えられたランプ電流のシフトのいずれかをもたらす。マスターＴＬＥＤによって生じた周波数又は電流シフトパターンの検出時、１つ以上のスレーブＴＬＥＤのそれぞれは、それが同一同一安定器（the same the same ballast）を共有し、ゆえに、マスターＴＬＥＤと共に照明器具内にあると確実に結論付けることができる。
【００８８】
以下の開示は、また、ＴＬＥＤのために最適化されたネットワーク参加メカニズムを記載する。初めに、取付者にはマスターコネクテッドＴＬＥＤのみがファクトリーニューランプとして見える。取付者が照明ブリッジ又は遠隔制御によってセットアップされたマスターＴＬＥＤをＺｉｇＢｅｅネットワークに追加すると、同一照明器具内にあるスレーブＴＬＥＤもまた、その後、取付者による付加的なアクションが何ら必要とされることなく、同一ＺｉｇＢｅｅネットワークに参加することを可能にされる。本開示は、更に、取付者の介入を必要とすることのない、破損したコネクテッドＴＬＥＤの交換を目的とする「安定器の負荷減少に基づく」自動分類法を提供する。
【００８９】
ＴＬＥＤ自動分類の速度を上げるために、好ましくは、手順は、より迅速であまり煩わしくない（なおかつ、より決定論的でない）評価方法から開始する。即ち、まず、同一照明器具内のＴＬＥＤは、最も近くに隣接する照明器具までの典型的な間隔に比べて相対的に狭い「無線」近傍内にあると考えられると想定され得る。したがって、無線ＲＳＳＩ（又は代替的に、符号化光）に基づき、ＴＬＥＤは、「同一照明器具内にあると思われる」、「おそらく同一照明器具内にある」、「同一照明器具内にないと思われる」などのバケットに分類されてもよい。その後、最初のＲＳＳＩベースのＴＬＥＤバケットから開始して、方法は、どのＴＬＥＤが共通の蛍光灯安定器に接続されており、したがって、同一照明器具内に確実に配置されているかを確実性を持って決定するために負荷変調の使用に進む。
【００９０】
本明細書中に開示される実施形態によれば、コントローラ２６は、運用段階の前にコミッショニングプロセスに関与するように構成されている。コミッショニングには、コミッショニングを実施するユーザ８によって使用されているコミッショニングツール６と相互作用するランプ１２の１つ以上を伴う。コミッショニングツール６は、専用のリモートユニット、又はスマートフォン、タブレット、若しくはラップトップ型コンピュータなどのユーザ端末で実行するコミッショニングアプリケーションなどの任意の適切な形態をとってもよい。コミッショニングツールは、通常、運用段階において後にランプ１２を制御する照明コントローラ（図示せず）と同一のデバイスではないが、この可能性も排除されないことに留意されたい。
【００９１】
ユーザ８は、自身が制御ネットワークに引き込みたい照明器具４のそれぞれのコミッショニングを少なくとも開始するためにコミッショニングツール６を使用するが、本明細書の実施形態によれば、プロセスの残りのいくつか又は全ては、その後、ランプ１２とコミッショニングツール６との間で自動化された状態で進行してもよい。
【００９２】
各ランプ１２のコントローラ２６は、その各ランプ１２をファクトリーニュー（factory new、ＦＮ）モード又は非ファクトリーニュー（non factory new、非ＦＮ）モードのいずれかで動作することができると共に、これらモード間で切り換えることができるように構成されている。例えば、これらは、ＺｉｇＢｅｅ  Ｌｉｇｈｔ  ＬｉｎｋプロトコルのＦＮモード及び非ＦＮモードであってもよい。ＦＮモードでは、ランプ１２は、コミッショニングツール６に、コミッショニング待機として現れる。例えば、これは、各ランプ１２がコミッショニングを待機していることを周知させるビーコンを反復的に（例えば定期的に）発するためにその各々の無線インタフェース２８を使用するコントローラ２６によって実現されてもよい。代替的に、これは、ランプ１２がコミッショニングを待機していることを応答するためにツール６から一斉送信されるクエリに応答するようにそれ自身を設定するコントローラ２６によって実現されてもよい。非ＦＮモードでは、ランプ１２はしない。例えば、コントローラ２６は、いかなるビーコンも発しない、又はランプ１２をコミッショニング待機として周知させるビーコンを少なくとも発しない（例えば、コントローラ２６は、特定のビーコンを発するのを停止することができる、又はそのビーコンのコンテンツを、各ランプがコミッショニングを待機していることを明示しないように変更することができる）。代替的に、コントローラ２６は、それがツール６からのクエリ一斉送信に応答しない又はランプ１２がコミッショニングを待機しているという応答によって応答するモードにそれ自身を設定してもよい。
【００９３】
したがって、ランプ１２がＦＮモードにあるとき、コミッショニングツール６はランプ１２をコミッショニング待機として検出し、それをユーザ８に対し、コミッショニングツール６のユーザインタフェースを通じてそのように表示する。非ＦＮモードでは、その一方で、コミッショニングツール６はランプ１２をコミッショニング待機として認識せず、したがって、それをユーザ８に対し、コミッショニングツール６のユーザインタフェースを通じてそのようには表示しない。
【００９４】
実施形態では、コミッショニング待機とは、運用段階における後の制御の目的で無線ネットワーク（例えば、ＺｉｇＢｅｅネットワーク）に参加されるのを少なくとも待機しているという意味である。したがって、実施形態では、各ランプ１２のコントローラ２６は、ＦＮモードにあるときにはビーコンを発するように構成されているが、非ＦＮモードにあるときにはビーコンを発するのを停止するように構成されている、又は別の実施形態では、コミッショニングを待機しているランプ１２を探すコミッショニングツールからのクエリ一斉送信に各ランプ１２のコントローラ２６が応答する手法を変更するように構成されている。例として、以下の例は、各ランプ１２がビーコンを発するか否か（又は少なくとも、各ランプ１２が、それがコミッショニングを待機していることを周知させる特定タイプのビーコンを発するかどうか）をＦＮモードが制御する前述の実装形態の観点から記載され得る。後者の実装形態では、コミッショニングツール６がオープンネットワークのオファーを送信する場合、マスターランプのコントローラ２６はこのオファーに反応するが、スレーブランプはそれを無視する。
【００９５】
本明細書の実施形態によって利用される別の特性は、ＺｉｇＢｅｅ  Ｌｉｇｈｔ  Ｌｉｎｋ規格などのＺｉｇＢｅｅ規格に従って構成されたランプが、それがＺｉｇＢｅｅネットワークに参加するとＦＮモードから非ＦＮモードに自動的に切り換わることである。したがって、本明細書の実施形態によれば、ランプを一時ネットワークに参加させたり出させたりすることが、ＦＮモードを意図的に操作するために使用され得る。
【００９６】
本明細書中に開示される例示的な技術によれば、ランプ１２のそれぞれのコントローラ２６は、分散されたマスタースレーブプロトコルに従うように構成されており、それにより、ランプ１２のそれぞれのコントローラ２６は、（集中コントローラによる連係を伴うことなく）分散された状態で、それ自身がコミッショニングの目的でマスター又はスレーブになるかどうかを決定する。プロトコルは、照明器具４につき１つのみのランプ１２ａがマスターになり、その同一照明器具１４内の他の全てのランプ１２ｂ、１２ｃ、１２ｄは各マスター１２ａに対するスレーブであるように構成されている（単なる例として、本明細書では１２ａの符号が付されたランプがマスターとして記載されるが、一般に、マスターは同一照明器具４内のランプ１２ａ〜１２ｄのいずれとすることもできることに留意されたい）。どのランプ１２ａ〜１２ｄが同一照明器具内にあるかを検出するための技術が後により詳細に説明される。
【００９７】
マスターになるランプ１２ａのコントローラ２６は、その後、マスター１２ａ以外の全てが、コミッショニングツール６のユーザインタフェースにおいてユーザ８に示されないようにするために、そのスレーブ１２ｂ〜１２ｄのＦＮモードを意図的に操作する。これは、マスター１２ａに、マスターにより構築された一時無線（例えばＺｉｇＢｅｅ）ネットワークにスレーブランプ１２ｂ〜１２ｄを参加させることによって実現される。更に、マスターランプ１２ａのコントローラ２６は、それ自身及びグループとしてのそのスレーブ１２ｂ〜１２ｄを代表して１つ以上のコミッショニング操作を実施する。したがって、ユーザの観点からは、コミッショニングは、各個々のランプ１２ではなく各照明器具４に対してのみ実施され、スレーブ１２ｂ〜１２ｄの識別子をコミッショニングツール６に報告すること、及びスレーブをネットワークに参加することに伴うコミッショニングは完全に「裏で」実施される。
【００９８】
以下は、自動分類の開始前に、照明器具４内の全てのＴＬＥＤ管１２ａ〜１２ｄが新たに取り付けられる、即ち、ファクトリーニュー（ＦＮ）の状況の例示的なワークフローを記載する。これは、例として、ＺｉｇＢｅｅネットワークにコミッショニングされるそれぞれ４つのＴＬＥＤ管１２ａ〜１２ｄを有するＮ個の器具４を有する部屋について示される。以下で、ランプ１２が特定の動作を実施すると記載されている場合、これは、適宜、各々の無線インタフェース２８を使用し、その各々のコントローラ２６の制御下で実施されると仮定されてもよい。
【００９９】
まず、４ｘＮ個のファクトリーニュー（ＦＮ）ＴＬＥＤ管１２がＮ個の照明用器具４にそれぞれ挿入される。最初、各ＦＮ  ＴＬＥＤ１２は、ＺｉｇＢｅｅネットワークを検出しない（又は受信された閾値未満の強度を有するネットワーク（これは別の照明器具、又は更には別の部屋からに違いないと仮定することができる）のみを検出する。後述の「バケッティング」機能を参照）。
【０１００】
環境２内の全てのＴＬＥＤ１２は、その後、ＦＮモードから始め、新たなＺｉｇｂＢｅｅネットワークを開始する（注：その時点で、ブリッジ又は遠隔制御コミッショニングデバイス６はシステム内に存在する必要はない）。これは、環境２内の各ランプ１２が、それが隣接物を探している新しいランプであることを通信するビーコンを送信することを意味する。これらビーコンは、固有識別子数（例えば、ＴＬＥＤの６４ビットＺｉｇＢｅｅアドレス）を含む。全てのＴＬＥＤ１２は、また、これらビーコンをリッスンし、他のＴＬＥＤ１２のアドレスをそれら自身のアドレスに対して解析する。最下位アドレスを有する１つのＴＬＥＤ１２ａは、それを安定器１０に接続している安定器線上のその６４ビットＺｉｇＢｅｅアドレスを変調することにより、それが安定器にかける負荷を変調することによって（後により詳細に記載される）自動コミッショニングの第２段階を開始する。他の全てのＴＬＥＤ１２は、それらが安定器１０から受信した電力が変調されているかを確認する。変調されていれば、これらＴＬＥＤ１２ｂ〜１２ｄはそれぞれ、それが安定器負荷変調を経て受信した６４ビットアドレスを取り込む。この６４ビットアドレスは、それ自身の照明器具４内のマスターＴＬＥＤ１２ａのＺｉｇＢｅｅアドレスである。ランプ１２は全てがオンにされなくてもよく、厳密に同じ時間にプロセスを開始しなくてもよいことに留意されたい。本来であれば、ランプ交換中、照明器具４の電源はオフにすべきであるため、この規則に従えば、ランプは全て、ランプ交換後に一緒にオンにされ、ゆえに、プロセスを同時に開始する。実際には、この規則に必ずしも従うとは限らないが、それでもなお、ランプ４が、電源投入後、特定の有限窓にわたって潜在的マスター又はスレーブを探し続けるように構成されている限りは、記載されるプロセスは依然として機能する。
【０１０１】
マスターを選択するための別の手法は、主電源１６の電源投入後、各ＴＬＥＤ１２がその無線２８を起動可能となる前にランダムタイムアウトを使用することである。最初に無線２８がアクティブとなるＴＬＥＤ１２がマスターになり、ネットワークを立ち上げる。ＴＬＥＤ１２が依然としてコミッショニングされていなければ、ＴＬＥＤ管１２のランダムタイムアウト機能は、特定の期間の後、例えば１か月後に無効化される。このランダムタイムアウト法は、しかしながら、あまり好適でなく、プロセスに時間がかかり、加えて、小規模ネットワーク及び大規模ネットワークの両方にサイズを合わせることが困難である（ネットワークが大規模になるほど必要な起動遅延が長くなる）。一方で、負荷変調は直接、あらゆるネットワークサイズで機能する。
【０１０２】
どのような手段でマスター及びスレーブが選択されたとしても、スレーブＴＬＥＤ１２ｂ〜１２ｄのそれぞれは、その後、ＺｉｇＢｅｅマスターＴＬＥＤデバイス１２ａのＺｉｇＢｅｅネットワークに参加する（スレーブのそれぞれを非ＦＮモードに切り換えさせ、ビーコンを発するのを停止させる）。マスターＴＬＥＤ１２ａは、１つ以上のＴＬＥＤ１２ｂ〜１２ｄがそのネットワークに参加したことを認識する。このネットワークは、そのスレーブ１２ｂ〜１２ｄから固有の数（例えば、６桁のリモートリセットコード）を取得するためにマスター１２ａによって使用され、固有の数は、後に、コミッショニングプロセス時に、取付者のリモート（コミッショニングツール）６によってセットアップされたＺｉｇＢｅｅネットワークにスレーブＴＬＥＤ１２ｂ〜１２ｄを引き込むために使用される。
【０１０３】
ＴＬＥＤ１２のどれが同一照明器具４内に配置されているかが決定された後、マスターＴＬＥＤ１２ａは、そのスレーブＴＬＥＤ隣接物１２ｂ〜１２ｄの固有のアドレスを、ネットワークパラメータ及びキーと共に保存する。マスターＴＬＥＤ１２ａは、それがそのスレーブ１２ｂ〜１２ｄのために構築したネットワークを出て、コミッショニングツール６にコミッショニング待機として現れるようにＦＮモードに戻る。しかしながら、マスターＴＬＥＤ１２ａは、そのスレーブＴＬＥＤ１２ｂ〜１２ｄを、これらがコミッショニングツール６に現れないように、この新規に構築されたネットワークに残す。したがって、マスター１２ａはそのスレーブ１２ｂ〜１２ｄの代表として機能する。
【０１０４】
マスター１２ａがＦＮモードに戻ると、これは、マスター１２ａが再度ビーコンを発し始めることを意味する。次のマスターを選択するための分散されたプロトコルでマスター１２ａが考慮されることを避けるために、したがって、マスター１２ａは、そのビーコンの１つ以上において、それがすでにマスターとして機能したことを示す。
【０１０５】
一般にビーコンを発することに関して、ＴＬＥＤ１２は、ある固有のＩＤ、それらの存在、及びそれらが照明器具４毎にすでに分類されたかどうかを通信するためのメカニズムを必要とする。通常のＺｉｇＢｅｅビーコンは、とりわけ、それらのネットワークの拡張ＰＡＮ（Personal Area Network、パーソナルエリアネットワーク）[SA4]ＩＤを含むが、ＴＬＥＤ１２が交換する必要があってもよい他の情報を含むためのスペース又はメカニズムは提供しない。したがって、以下の代替的方法の１つは、ＦＮモードに戻るマスター１２ａがすでにマスターであった（その各照明器具内のランプ１２ｂ〜１２ｄをすでに分類したかどうかを示すために使用されてもよい。
【０１０６】
第１の可能性は、個別に定義された告知メッセージをＺｉｇＢｅｅ上で使用することである。この手法によれば、各ランプ１２は、そのネットワークに他のデバイスが参加するためにオープンにすることなく、それ自身のＺｉｇＢｅｅネットワークを開始する。コミッショニングプロセスの全体を通して１回以上（最初にビーコンを発する際及び／又はその後）、各ＴＬＥＤ１２は、それ自身のネットワーク上で、現在の目的に関連する情報（例えば、ＭＡＣ（Media Access Control、媒体アクセス制御）[SA5]アドレス、照明器具内におけるマスター対スレーブＴＬＥＤの表示、照明器具内のスレーブＴＬＥＤの自動分類がすでに行われたか否か）を含むＰＡＮ間告知メッセージを定期的に（いくらかの既定の間隔を置いて）送信する。残りの時間で、各ＴＬＥＤ１２は、それ自身のチャネル又は全てのチャネルのいずれかにおいて他のＴＬＥＤ１２から類似のメッセージをリッスンする（以下の記載を参照）。各ファクトリーニューＴＬＥＤはそのような全てのメッセージをそのラジオレンジ内でリッスンし、それに応じて動作する（残りの文を参照）。ＴＬＥＤ１２が自動分類をすでに実施している場合、それに応じてＴＬＥＤ１２はその告知メッセージの内容を調整する。コミッショニングが完了した後、告知メッセージの送信がＴＬＥＤのうちの１つの交換などの使用ケースのために継続されてもよい（後により詳細に記載される）。
【０１０７】
上記は、全てのＴＬＥＤ１２に対し、これらの全てにとって既知のＺｉｇＢｅｅチャネル上で実施され得る（デバイスは１つのチャネルでしかリッスンする必要がないため最も簡単である）、又は各ＴＬＥＤはランダムＺｉｇＢｅｅチャネル上で選択することができる（これは、各デバイスが全てのチャネルでリッスンする必要があることを意味し、幾分より複雑化するが、全ＺｉｇＢｅｅチャネルにわたる良好な分散を可能にする）。
【０１０８】
第２の可能性は、修正されたビーコンを使用することである。これは、上記第１の可能性に類似するが、ＺｉｇＢｅｅスペックで定義されたビーコンを使用する告知メッセージの代わりに、プロトコルバイトは既存のシステムに使用される値（００＝ＺｉｇＢｅｅ  Ｐｒｏ等）とは異なる値に設定される。ペイロードに、（上記第１の可能性との関連で記載したものと同じ）種々の情報が保持される。
【０１０９】
第３の可能性は、ＺｉｇＢｅｅ以外の別のプロトコルの、ＺｉｇＢｅｅビーコン以外の別の種類のビーコンを使用することである。これは、上記第１及び第２の可能性のバリエーションであるが、当該情報は、別のビーコン、例えば、ＢＬＥ（Ｂｌｕｅｔｏｏｔｈ  Ｌｏｗ  Ｅｎｅｒｇｙ）ｉＢｅａｃｏｎで伝送される。
【０１１０】
第１のマスター１２ａが、それがすでにマスターになったことをどのような手段で示すとしても、まだ自動分類されていない他の照明器具４内の他のＴＬＥＤ１２は、この表示が与えられることなく、その後、それらが第１の照明器具内のマスターＴＬＥＤ１２ａからビーコンをもはや受信していないことを認識する。これは、別のＴＬＥＤ１２が今では最下位固有数を有し、その照明器具４のマスターの役割をそれ自身に割り当て、上記プロセスをこの照明器具のために繰り返すことを意味する。全ての照明器具４内の各マスターＴＬＥＤ１２がこれらステップを完了させるまで全プロセスを繰り返す。
【０１１１】
オプションとして、上述のプロセスフローは、照明器具４内の管隣接物１２ｂ〜１２ｄの選択を、十分に高い信号強度を有するものを検出することによって補助するために、受信されたビーコンの信号強度、例えば、受信された信号の強度表示（received signal strength indicator、ＲＳＳＩ）の測定値を使用することによって強化されてもよいことに留意されたい。即ち、ＲＳＳＩは、ＴＬＥＤ自動コミッショニングプロセスを加速するために使用され得る。（例えば、広いオープンプランオフィス内の）複数の照明器具４が上記自動分類プロセスを同時に実行することができ、そのＴＬＥＤ１２が実際に同一照明器具４内に収容されているかを独立して確認するように、所定の閾値未満のＲＳＳＩを有するビーコンは無視され得る。ＲＳＳＩ単独では、必ずしも、同一照明器具４内にあるＴＬＥＤ１２を十分な確実性を持って識別するほど十分に信頼性が高くはない。したがって、実施形態では、ＲＳＳＩは、ＴＬＥＤ１２、例えば、同一照明器具内にあると思われるもの、又は同一照明器具内にある可能性のあるもののＲＳＳＩベースのバケット（即ち、サブセット候補）を構築するためだけに使用される。どのＴＬＥＤ１２が同一照明器具４内に実際に収容されているかをより確実に決定するために、バケットに基づき、第２の識別メカニズムが、その後、使用され、例えば、１つのマスターＴＬＥＤ１２ａの電気負荷を短絡させ、照明器具内の別のスレーブＴＬＥＤ１２ｂ〜１２ｄの安定器の負荷変動を検出する。
【０１１２】
コミッショニングフローの次の段階において、取付ユーザ（人）８がコミッショニングに関与する。取付ユーザ８は、自身のコミッショニングツール６上で、照明器具４につき１つのみのＦＮランプ１２（即ち、マスターＴＬＥＤ）が表示されているのを確認する。ユーザ８がこれらの見えているＦＮランプ１２ａのうちの１つの照明器具４を自身が構築しているネットワークに含めたければ、そのときは、ユーザ８はそのランプ１２ａをコミッショニングツール６のユーザインタフェース内で選択する。これにより、コミッショニングツール６が、選択されたランプ１２ａにコミッショニング要求を送信する。これに応答して、このランプ１２ａは、例えば、その照明要素１８を点滅させることによってユーザ８に視覚表示を提供する。ユーザ８は、したがって、自身が選択したランプ１２ａが実際に、自身がコミッショニングしようとしている照明器具４内にあることを確認することができる。そうであれば、ユーザは、コミッショニングツール６のユーザインタフェースを通じてこれを確定し、コミッショニングツール６に、マスターＴＬＥＤをそのＺｉｇＢｅｅネットワークに含めさせる（即ち、後の運用段階でランプ１２を制御する目的でより広いＺｉｇＢｅｅネットワークが構築される）。マスターＴＬＥＤ１２ａは、また、コミッショニングツール６に、その３つの非ＦＮ  ＴＬＥＤスレーブ１２ｂ〜１２ｄ（それらの固有のＩＤ、例えば、ＺｉｇＢｅｅアドレスを含む）について知らせる。スレーブＴＬＥＤ１２ｂ〜１２ｄは、その後、コミッショニングツール（又は照明ブリッジ）によってセットアップされたＺｉｇＢｅｅネットワークに参加する。これには少なくとも３つのオプションがある。
【０１１３】
第１のオプションは、コミッショニングツール６が、６桁のリセットコードを使用してスレーブランプ１２ｂ〜１２ｄをそのネットワークに引き込むためにスレーブＴＬＥＤの固有のＩＤを使用することである。これらは、スレーブＴＬＥＤ１２ｂ〜１２ｄを再度ＦＮにし、コミッショニングツールのリモートネットワークに参加するために、コミッショニングツール６によって一斉送信され得る。
【０１１４】
第２のオプションとして、マスターＴＬＥＤ１２ａは前のネットワーク（マスターＴＬＥＤ１２ａがそのスレーブ１２ｂ〜１２ｄに対して構築したネットワーク）に一時的に戻り、そのスレーブＴＬＥＤ１２ｂ〜１２ｄに、新たなネットワーク（コミッショニングツール６によって構築されたネットワーク）のパラメータを送信するためにこれを使用する。スレーブＴＬＥＤ管１２ｂ〜１２ｄは、その後、新たなネットワークに切り換え、マスターＴＬＥＤ管１２ａもまた、コミッショニングツール６の新たなネットワークに戻る。
【０１１５】
第３のオプションでは、コミッショニングツール６は、マスターＴＬＥＤ１２ａに、そのスレーブＴＬＥＤ１２ｂ〜１２ｄに「リモートリセット」を送信するように命令する。マスターＴＬＥＤ１２ａは前のネットワークに一時的に戻り、そのスレーブＴＬＥＤ１２ｂ〜１２ｄに「リモートリセット」を送信し、スレーブＴＬＥＤ１２ｂ〜１２ｄを再度ＦＮにさせる。マスターＴＬＥＤ管１２ａは、その後、コミッショニングツール６のネットワークに戻る。コミッショニングツール６は新たなデバイスを探し、３つのスレーブＴＬＥＤ１２ｂ〜１２ｄを見つける。
【０１１６】
したがって、マスター及びスレーブランプ１２ａ〜１２ｄは全て、コミッショニングツール６によって構築された無線ネットワーク（例えば、ＺｉｇＢｅｅネットワーク）に集合的に引き込まれるため、ランプ１２ａ〜１２は、その後、運用段階においてそのネットワークを介して制御され得る。どのようなオプションが使用されるとしても、好ましくは、コミッショニングツール６は、また、グループアドレス（例えば、ＺｉｇＢｅｅグループアドレス）を同一照明器具４内のランプ１２ａ〜１２ｄに割り当てる（異なる各々のグループアドレスを各それぞれの照明器具に割り付ける）。このグループアドレスは、その後、（各ランプの個々のアドレスに別個のメッセージを送信するよりもむしろ）それぞれが宛先アドレスとして１つのグループアドレスのみを有する１つ以上の制御メッセージを一斉送信することによって、制御デバイス（図示せず）がランプ１２ａ〜１２ｄを一緒に制御することを可能にする。例えば、ＺｉｇＢｅｅメッセージにより、グループ識別子を有するメッセージが一斉送信されることが可能であり、それにより、この識別子を含む（即ち、このグループ内にある）ランプ１２のみが反応する。割り当てられる際、コミッショニングツール６はグループアドレスをマスター１２ａ及びスレーブのそれぞれに通信する。動作時、各ランプ１２ａ〜１２ｄは、したがって、グループアドレスを有する任意のメッセージをリッスンし、それに応じて反応する。しかしながら、照明器具内の全てのＴＬＥＤに対してグループアドレスを有することは必ずしも必要ないことに留意されたい。代替的に、コミッショニングプロセスが完了すると、各ＴＬＥＤをそれ自身の個々のアドレスで単純にアドレス指定することが可能である。
【０１１７】
上記は、したがって、新規に取り付けられた照明器具４の構成がコミッショニングされ得るメカニズムを説明する。自動分類が使用されてもよい更なる状況は、最初のコミッショニング段階が終了し、運用段階が開始した後に所与の照明器具４内の個々のＴＬＥＤ１２のうちの１つが交換される場合である。以下は、照明器具４内の非ＦＮ  ＴＬＥＤ管１２のうちの１つの交換のワークフローを記載する。このコネクテッドＴＬＥＤの現場交換は、遠隔制御又はコミッショニングの専門家の関与なしの、代替ＴＬＥＤ１２の「開封した」ばかりの自動コミッショニングを目的とする。自動分類プロセスは、ファクトリーニューコネクテッドＴＬＥＤ管１２と、スイッチによる１回の主電源電圧１６の電源の入れ直しとの組み合わせによってトリガされ得る。代替的に、ランプ交換人は、代替管の自動コミッショニングを能動的にトリガしてもよい（例えば、主電源スイッチを１０秒以内に５回切り換える）。
【０１１８】
代替ＴＬＥＤの自動コミッショニングは以下のように進行する。新規に取り付けられたＴＬＥＤ、例えば、参照番号１２ｂの代替物は、それが安定器１０にかける負荷を変調することによって安定器１０に信号を送信する。同一照明器具４内の他のＴＬＥＤ１２ａ、１２ｃ、１２ｄは、安定器１０によりそれらに供給される電力内のこのメッセージを受信（hear）する。これらＴＬＥＤ１２ａ、１２ｃ、１２ｄのうちの１つ（例えば、最下位の固有アドレスを有するもの、又はすでに照明器具４のマスターになったＴＬＥＤ１２ａ）はそのネットワークを開く。新たなＴＬＥＤは、その後、ネットワークに参加する。マスターＴＬＥＤ１２ａは、新たなＴＬＥＤ内の適切なＺｉｇＢｅｅグループを、新たなＴＬＥＤが交換されたＴＬＥＤ１２ｂと同じように機能するようプログラムする。
【０１１９】
これにより、コミッショニングツール６が照明器具４内の全てのＴＬＥＤ１２ａ〜１２ｄを単一ＺｉｇＢｅｅグループに割り当てたと仮定する。照明器具４内の全てのＴＬＥＤ１２ａ〜１２ｄを同一グループに有することは、後に、残りの古いＴＬＥＤ１２ａ、１２ｃ、１２ｄのＺｉｇＢｅｅグループ数が新たな代替ＴＬＥＤのために直接再利用され得るため、この代替物の使用ケースにとって非常に有利である。Ｚｉｇｂｅｅグループアドレスとは異なり、通常のＺｉｇＢｅｅアドレスはこの特徴を有さず、新たな代替ＴＬＥＤは、古いものとは異なる１６ビットアドレスを常に有する。
【０１２０】
上記メカニズムは、どれも要求に返答しない場合にタイムアウトを含んでもよい。あるいは、代替として、新たなＴＬＥＤは、ＺｉｇＢｅｅ上でネットワークに対する要求を送信してもよく、要求は他のＴＬＥＤ１２ａ、１２ｃ、１２ｄ、又は照明器具４の少なくともマスター１２ａによって監視され、返答される。また、ここで、両者が同一照明器具４内にあることを確認するために、安定器線を通じた信号送信が使用され得る（及び好ましくは使用される）。ＴＬＥＤの現場交換において、照明ネットワークに参加することを望んでいる「志願者」無線ノードが蛍光管安定器１０に実際に接続されているかどうかに関するこの確認はセキュリティメカニズムとしても機能し、「志願者」無線ノードは、それがネットワークの存在する要素１２ａとして物理的に同一照明器具４内にある場合にのみ参加することができ、したがって、照明を破壊しようとするなどの悪意の目的でローグデバイスが参加することを回避する。同一蛍光管安定器１０の共有は、いくつかの意味で、消費者用途のために使用されるタッチリンキングメカニズムに対するＴＬＥＤ市場の類似点である。消費者用途では、ペアリング手順は、例えば、ハウジング１４の外からランプへの悪意のある新たなネットワークコンポーネントのペアリングを妨げるために電球とリモートコントロールの物理的近接を必要とする。同じように、本開示の実施形態は、既存のランプ１２ａが、ＴＬＥＤであると主張する新たな無線コンポーネントが実際に既存のコネクテッドＴＬＥＤ１２ａとして同一安定器１０に線で接続されており、ゆえに、実際に代替ＴＬＥＤであり、別の悪意のある無線デバイスではないことを確認することによって、ネットワークに参加する新たなＺｉｇＢｅｅコンポーネントの認証を評価することを可能にする。
【０１２１】
上記の概要を示すために、図９は、本開示の実施形態によるランプ１２の可能な異なる状態を示す状態図を記載する。どのランプも、「開封した」ばかりの状態５４で最初に初めて電源が投入されたときに寿命が始まり、上述したように、マスターになるかスレーブになるかを決定するために、分散された折衝プロトコルを実行する。その後、これに基づき、ランプ１２ａの１つはマスター状態５６に移行し、一方で同一照明器具内のその他のランプはそれぞれ、スレーブ状態５８に移行する。第１のランプ１２ａがマスター状態５６にあり、第２のランプ１２ｂ〜１２ｄがスレーブ状態５８にある間、これらのランプ１２ａ〜１２ｄをグループとしてコミッショニングするための１つ以上のステップを開始するために、マスター１２ａは、集合的に第１及び第２のランプ１２ａ〜１２ｄを代表してコミッショニングツールと対話する。最後に、コミッショニングが終了した後、マスター及びスレーブランプ１２ａ〜１２ｄの両方は、それらが、それらの最終目的のために使用できる運用状態（運用段階）６０に移行する、即ち、環境２を照明するために使用され、コミッショニングツールによって確立されたＺｉｇＢｅｅネットワーク又は他のそのような無線ネットワークを通じて（例えば、調光される、色照明シーンを設定するために使用される等のために）制御される。運用状態６０において、各ランプ１２は、上述したように、潜在的代替ランプの信号を監視する。
【０１２２】
（ａ）ランプがＦＮ（「ファクトリーニュー」）モードであるかどうかは、（ｂ）ランプが「開封した」ばかりの状態、マスター、スレーブ、又は最終運用状態にあるかどうかとは別の変動因子であることに留意されたい。これは、ランプがマスターである間、ランプはＦＮと非ＦＮの両方の間で切り換わり、また、ランプがスレーブである間、ランプは、また、ＦＮと非ＦＮとの間で切り換わることができるため、（ａ）と（ｂ）は、別々に制御可能な因子であるということを考慮することにより認められ得る。したがって、本明細書中に開示される技術には、新たに「開封した」状態かどうかをただ示すだけでなく、同一照明器具４内の複数のランプ１２のうちのどれがコミッショニングツール６に現れるかを制御するという更なる目的のために使用されるように、ＦＮ状態を故意に且つ意図的に操作することを含む。
【０１２３】
制約された信号チャネル
安定器による信号の負荷変調の使用は、ＲＳＳＩのみをベースにした自動分類に比べてとりわけ有利であり得る。米国では、例えば、照明器具は、常に、照明器具４の上部（upper top）と側壁との両方に連続した金属筐体を有する。照明器具の金属側壁は、異なる照明器具４内に収容されているＴＬＥＤ１２間の（同一平面内の）直接無線経路を遮断する。したがって、２つの異なる照明器具４内に収容されたＴＬＥＤ１２間の無線減衰量は、通常、同一照明器具４内に収容された１５〜２０ｃｍの距離にある２つの隣接するＴＬＥＤに比べて大きい。しかしながら、隣接する照明器具４の間の通常よりも短い設置距離では、照明器具の金属側壁によって生じる減衰量は、ある場合においては（例えば、照明器具の金属側壁の開けられた穴がＴＬＥＤの無線２８のすぐ隣にある場合）、異なる照明器具のコネクテッドＴＬＥＤ管１２の偶発的な自動分類を防止するには不十分である。加えて、ＴＬＥＤ管１２のそれぞれは、その無線２８を、管１２のエンドキャップ２０ｉのうちの１つのみに配置してもよい。したがって、同一照明器具４内に配置された２つの隣接するＴＬＥＤ管１２ａ、１２ｂが、無線２８が管１２の反対端にある状態で取付者によって取り付けられる５０％の尤度がある。ＴＬＥＤの中央にアンテナ２８を配置することでこの問題を克服してもよい。しかしながら、ＴＬＥＤのハードウェアの観点から、コネクテッドＴＬＥＤにおける好適な無線の位置はエンドキャップ２０内である。
【０１２４】
十分なロバスト性を確保するために、したがって、ＴＬＥＤ１２をＲＳＳＩの補助によって「バケット」化し、その後、どのＴＬＥＤ１２が同一照明器具４内に配置されているかを確実性を持って決定するために第２の分類手法を使用することが好ましい。
【０１２５】
第２の自動分類法には少なくとも２つのオプションがある。一実施形態は、上に言及したように、マスターＴＬＥＤ１２ａ管が、（例えば、その固有のＩＤを信号送信するために）それが安定器１０にかける負荷を変調することにより安定器１０を通じて信号送信することである。他のＴＬＥＤ１２ｂ〜１２ｄは、その後、同一照明器具４内のそれらの姉妹ＴＬＥＤにより生じる負荷移行を検出するよう注視する。これは間もなくより詳細に説明される。
【０１２６】
しかしながら、別の実施形態として、コネクテッドＴＬＥＤ１２のそれぞれは、スレーブ１２ｂ〜１２ｄが同一照明器具４内に配置されたマスターＴＬＥＤ１２ａによって放出された光変調パターン（及び／又はスレーブ１２ｂ〜１２ｄはマスター１２ａによって検出される光パターンを放出し得る）を検出することを可能にするために使用され得る内蔵された光センサを有してもよい。光センサは、既存の照度センサであってもよく、又は開示される検出のための専用光センサであってもよい。マスター１２ａは選択的に、マスターＴＬＥＤ管がそれ自身の光による邪魔なくその隣接物１２ｂ〜１２ｄから符号化光メッセージを受信するのを補助するために、照明器具４内のライトのスイッチを切る。照明器具４のハウジング１４は符号化光信号を少なくとも一部遮断するように機能するため、同一照明器具４内のランプ１２ａ〜１２ｄは互いの信号を受信するが他の照明器具４内のランプ１２からの信号は受信しないことから、符号化光は、どのランプ１２が同一照明器具内にあるかを検出するために使用され得る。これを容易にするために、光センサ及び／又はランプ１２の位置は、所与の照明器具４内の所与のランプ１２の光センサのみが、又は所与の照明器具４内の所与のランプ１２の光センサが少なくとも主として、同一照明器具４内のランプから光を受信するように、特に構成されていてもよい。例えば、光センサは、各照明器具ハウジング１４の内部の上部反射要素から反射した光を検出するために上方に面するように構成されていてもよい。類似の原理は、ランプ１２が同一照明器具内にあるかどうかを検出するための手段として他の媒体を用いても適用され得る。例えば、各ランプ１２は、（信号が、照明器具４の下のコントローラ又はコミッショニングツール６からは受信され得るが、同一天井に取り付けられた他の照明器具からは受信され得ないように）ハウジング１４によって遮断される超音波信号を発してもよく、又は各ランプ１２は、照明器具ハウジング１４の側面周囲の金属要素によって遮断される無線信号を発してもよい。
【０１２７】
付加的な特徴として、実施形態では、光センサをＴＬＥＤ１２毎に用いることによって、照明器具４内のＴＬＥＤ管１２ａ〜１２ｄの相対位置を識別することが可能である。このことは、照明器具４内の４つのＴＬＥＤ１２ａ〜１２ｄにわたって（左から右に、又は右から左に）掃引する指向性照明を可能にする。この動的旋回（dynamic swiveling）光ビームは、隣り合う照明器具４間の指向性を識別することを可能にしてもよく、これにより、部屋レベルの自動コミッショニングを可能にしてもよい。この手法では、同一照明器具４内に収容されたＴＬＥＤ１２は、照明器具の左側から右側へとそれらのライトに逐次的にスイッチを入れる。同時に、隣接する照明器具内のＴＬＥＤのＬＥＤはオフにされたままであるが、光センシング手段によって、隣接する照明器具内のＴＬＥＤ管の逐次的なスイッチオン中に生じた床上の光ルクスレベルを検出する。光が点灯されたＴＬＥＤ管が受信ＴＬＥＤに物理的に接近するほど、床上の光は多くなる。管の段階的な切り換え中に床上で検出されたルクスレベルに基づき、（光オフモードにある）ＴＬＥＤ管は、掃引光を実行している隣接する照明器具が実際にその右側又はその左側に配置されているかどうかを導き出すことができる。
【０１２８】
ここで、以下、安定器１０によって供給される電力のパターンを同一照明器具４内のランプ１２ａ〜１２ｄに信号送信するために、マスター１２ａによって安定器１０にかけられる負荷を意図的に変調するための技術の例示的な実装形態を記載する。
【０１２９】
記載したように、蛍光照明器具４は、典型的には、１つの単一の安定器１０に線で接続されたいくつかのＴＬ管１２ａ〜１２ｄを持つ。図４に、即時始動（instant start、ＩＳ）安定器１０の典型的な配線図が示される。ＴＬ管１２の各端部において、２つのピン２２がシャンテドランプホルダによって短絡されている。照明器具４内の第１のランプ１２ａの一端にあるピン２２ａ，ｉは第１の青線３０ａにより安定器１０に接続されており、第２のランプ１２ｂの一端にあるピン２２ｂ，ｉは第２の青線３０ａによって安定器１０に接続されている（照明器具内に２つを超えるランプがある場合も同様）。他端において、ピン２２ａ，ｉｉ及びピン２２ｂ，ｉｉ（など）は全て共に接続されており、かつ同一の赤線３２により安定器１０に接続されている。安定器１０それ自体は、黒線３４及び白線３６により主電源１６に接続されている。
【０１３０】
図５及び図６は、蛍光管に給電するための異なるタイプの安定器１０の例を示す。例として、これらは、即時始動（ＩＳ）安定器のＮＡＭ（non-additive mixing、非加算ミキシング）[SA6]領域の主要トポロジー、即ち、自己発振（self-oscillating、ＳＯ）回路（図５を参照）及び電流型ハーフブリッジ共振回路（図６を参照）である。
【０１３１】
図５は、典型的な高周波（ＨＦ）蛍光灯安定器を示す。この安定器１０は、上流主電源供給１６を受信し、これを、フィルタリング済みの電源供給を生成するために、及び安定器によって発生した干渉が主電源に戻るのを阻止するためにフィルタリングするように構成されたＥＭＩ（electromagnetic interference、電磁干渉）フィルタ３８からなる。安定器１０は、また、ＥＭＩフィルタ３８からフィルタリング済みの電源供給を受けるために、及び力率改善済み電源供給を生成するためにフィルタリング済みの電源供給の力率改善を行うために接続されたＰＦＣ（power factor correction、力率改善）入力ステージ４０を含む。回路は、力率改善ステージ４０から力率改善済み電源供給を受けるために接続された共振出力ステージ４２を更に含む。この回路は、受けた力率改善済み電源供給を基に、蛍光管（又はそれらのＴＬＥＤ代替物１２）に電力供給するために使用される最終電源供給を生成するために、自己発振モードで動作する。共振回路４２内の２つのトランジスタは変圧器Ｔ１の補助巻線によって駆動される。出力は、通常、主電源１６から遮断される。安定器１０は、したがって、Ｔ１の二次巻線の両端に約６００ＶのＨＦ電圧を生成する。コンデンサＣ１及びコンデンサＣ２は、ランプ１２ａ、ランプ１２ｂのそれぞれと直列で接続されている。コンデンサＣ１、Ｃ２はバラスト要素として機能し、ランプの電流を制御する。
【０１３２】
最近の製品では、ハーフブリッジ（half-bridge、ＨＢ）共振回路がそのコスト節減からより人気が高まっている。図６に、典型的なＨＢ蛍光灯安定器トポロジーが示されている。この回路は図５のものに類似するが、ＳＯ共振回路４２がＨＢ回路４４に交換されている。ＨＢ回路４４は、通常、集積回路（integrated circuit、ＩＣ）によって制御される。出力は主電源１６から遮断されない。
【０１３３】
ここで、図５及び図６に示されるもの又はその他などの安定器１０を介して信号を送信及び受信するためのいくつかの例示的な技術の詳細が図７との関連でより詳細に記載される。
【０１３４】
図７は、安定器１０を介して信号送信するために、及びまた、安定器１０から受けた電源供給により他のランプ１２からのそのような信号を検出するために、負荷変調を実施するための例示的なランプ１２を示す。実施形態では、照明器具４の１つ、いくつか又は全てのランプ１２のそれぞれは、図７に従い構成されていてもよい。
【０１３５】
図７に示されるように、ランプ１２は、安定器１０からランプ１２のピン２２を介して交流電源供給を受け、これを直流電力に変換するように構成されたダイオードＤ１、Ｄ２、Ｄ３、Ｄ４の構成を含む整流器２３を含む。種々の形態の整流器はそれら自体当業者に周知であり、整流器２３は図７に示される形態を必ずしもとらなければならないわけではない（が、そうである方がよい）。ランプ１２は、整流器２３から直流電力を受け、これに基づき、ＬＥＤベース照明要素１８（ＬＥＤストリング又はアレイ）への定電流又はほぼ定電流を生成するように構成されたＬＥＤドライバ２４を更に含む。しかしながら、定電流は、本明細書で述べられるように、電流が調整可能でないことを必ずしも意味しないことに留意されたい。むしろ、ランプ２４は、例えば、ランプ１２の埋め込まれたファームウェアを実行するように構成されたマイクロコントローラ４６を含むコントローラ２６を含む。更に、ランプ１２は、無線インタフェース２８、例えば、ＺｉｇＢｅｅ、Ｗｉ−Ｆｉ、８０２．１５．４、又はＢｌｕｅｔｏｏｔｈインタフェース（上記は、主としてＺｉｇＢｅｅ例の観点から記載した）を含む。マイクロコントローラ４６は、無線インタフェース２８とＬＥＤドライバ２４とに接続されている。マイクロコントローラ４６は、無線インタフェース２８を介して、例えば、照明コントローラ又は１つ以上の無線センサ（図示せず）から発生するメッセージを受信し、メッセージを基に、照明要素１８が光を放出する光出力レベルを決定するように構成されている。マイクロコントローラ４６は、その後、この光出力レベルをＬＥＤドライバ２４に示し、これに応答して、ＬＥＤドライバ２４は、電流を、所望の光出力を得るための適切なレベルに設定する。ＬＥＤドライバ２４によって供給される電流は、したがって、コントローラ２６によって示される所与の光出力において、電流がほぼ一定であることをＬＥＤドライバ２４が確実にするという点で、一定である。また、パルス幅変調（pulse width modulation、ＰＷＭ）調光等が使用される場合、定電流とは平均電流を意味することに留意されたい。更に、実施形態では、ＬＥＤベース照明要素２８は、異なる色の、独立制御可能なＬＥＤ又はＬＥＤのサブアレイを含んでもよい。この場合、コントローラ２６及びＬＥＤドライバ２４は、また、光出力の色を制御するために、それぞれ異なる色のＬＥＤ又はサブアレイの出力レベルを個々に設定してもよい。
【０１３６】
安定器１０を介して信号送信するために、ランプ１２の内部コントローラ２６は、マイクロコントローラ４６の制御下で、各ランプ１２によって安定器１０にかけられる負荷を変調することができるように接続されたトランジスタスイッチＭ１の形態の送信回路を更に含む。示される例示的実施形態では、これは、トランジスタＭ１のゲート（又はベース）がコントローラ２６に接続されている状態で、負荷全体において、例えば、ＬＥＤドライバ２４又は照明要素１８全体において、トランジスタＭ１のソースとドレイン（又はコレクタとエミッタ）を並列で接続することによって実現される。これは、コントローラ２６が、トランジスタＭ１のゲート（又はベース）を制御することによって負荷を選択的に短絡させることを可能にする。コントローラ２６がこれを行うと、これは、安定器１０を通じて戻される「吃逆」を引き起こし、吃逆は、同一照明器具４内の他のランプ１２によって受信される電力において検出可能である。適切な所定の符号（以下を参照）に従い短絡を制御することで、したがって、同一照明器具４内の他のランプ１２に安定器１０を介して信号送信することが可能である。
【０１３７】
そのような信号を同一照明器具４内の他の類似のランプ１２から検知できるために、図７のランプ１２は、整流器２３とＬＥＤドライバ２４との間に接続されたセンシング回路５０を更に含む（しかし、センシング回路５０は、場合によっては回路の他の部分に接続され得る）。この回路５０は、安定器１０によって供給される電力中の信号送信された「吃逆」のパターンを検出し、検出された信号を復号のためにコントローラ２６に供給するように構成されている。センシング回路５０は、受信電力の電流、電圧及び／又は周波数の変調をセンシングすることによって受信電力の変調を検知するように構成されていてもよい。例えば、実施形態では、センシング回路５０は電流センシング回路である。
【０１３８】
したがって、コントローラ２６は、同一照明器具４内のランプ１２ａ〜１２ｄの自動分類を実施するために、安定器１０を介して信号を送信することができ、また、本明細書中に開示される種々のコミッショニングフローステップに従いそのような信号に作用することができる。
【０１３９】
ＴＬＥＤ分類法を開始するために、（例えば、同一照明器具４を共有していると思われるＴＬＥＤのバケットからの）１つのマスターＴＬＥＤランプ１２ａが自動分類プロセスを開始する。自動分類プロセス中、このマスターＴＬＥＤランプ１２ａはＬＥＤ負荷シャントプロセスを開始し、（マイクロコントローラ４６によって決定された）既定の周波数及びデューティサイクルでスイッチＭ１を開閉する。スレーブＴＬＥＤランプ１２ｂ〜１２ｄのそれぞれは、ランプの電流の変化をその内部電流検出ユニット５０により検知する。マスターＴＬＥＤランプ１２ａがこの符号化シャントアクションを実施すると、安定器１０の負荷条件は変化し、安定器はその通常の動作点から外れる。結果として、グループ内の残りのＴＬＥＤランプ１２ｂ〜１２ｄはより多い又はより少ない電力のいずれかを安定器１０から受信する。変化の大きさ及び方向は蛍光灯安定器のトポロジーに依存するが、いずれにせよ、変化はスレーブＴＬＥＤ１２ｂ〜１２ｄにとって顕著である。スレーブＴＬＥＤランプは、この変化をランプ内の検出ユニット５０によって検知する。安定器１０は電流源であるため、マスターＴＬＥＤ１２ａランプによって実施される符号化短絡は安全なアクションであり、安定器１０又はＴＬＥＤランプ１２ａ〜１２ｄのいずれも損傷しない。
【０１４０】
負荷短絡機能は、例えば、図７に示されるようなシャントスイッチＭ１によってＴＬＥＤ１２内で低コストで実施され得る。各ＴＬＥＤ１２において、このシャントスイッチＭ１の例は整流器２３の後に配置されている（このスイッチＭ１は、実際には、パルス幅変調調光目的で既存のＴＬＥＤ１２内にすでに存在していてもよい）。Ｍ１が閉じると、ランプ入力は短絡され、安定器１０からの電流はＬＥＤ負荷１８に電力を伝達することなくバイパスされる。他のＴＬＥＤ１２によって送られた符号を検出するために、電流検出ブロック５０の例は各ＴＬＥＤランプ１２の主電流ループに挿入される。安定器の電流及び周波数の符号化された変化は、この検出ブロック５０により検知され、抽出された信号はＴＬＥＤ１２内の搭載マイクロコントローラ４６に供給される。同一マイクロコントローラ２６はシャントスイッチＭ１も制御する。
【０１４１】
実施形態では、実の蛍光管ランプのフィラメントをエミュレートするために、それぞれＴＬＥＤ１２の２つの側の入力２２ｉ  ２２ｉｉにフィラメント回路５２ｉ、５２ｉｉが含まれていてもよいことに留意されたい。この回路５２は、例えば、電力抵抗器であってもよく、又は即時始動安定器用に開いたままであってもよい。フィラメント回路５２は、したがって、信号送信された符号を、信号に何ら影響することなく通過させる。
【０１４２】
図８は、本明細書中に開示される実施形態によるスレーブランプ１２ｂ〜１２ｄによって受信された、時間領域ｔ（コンディショニング後）内の安定器電流Ｉの例示的形状を示す。上の略図は、スレーブＴＬＥＤ１２ａ〜１２ｄによって受信された安定器電流が安定レベルにある通常動作時の電流を示す。マスターＴＬＥＤランプ１２ａは、その後、分類プロセスを開始し、安定器１０に符号化パターンを強制付与する。結果として、図８の下の略図に示されるように、スレーブＴＬＥＤ１２ｂ〜１２ｄによって受信された電流は、マスターランプのシャント周波数に等しい周波数を有する、変調された信号パターンを含む。シャント周波数は、例えば、１〜１０Ｈｚの範囲内、又は数百Ｈｚ〜数ｋＨｚの範囲内であり得る（好ましくは、主電源周波数成分による不要な干渉を最小限にするために主電源周波数は回避される）。
【０１４３】
電流検出ユニット５０が符号化変調パターンを検出するためのいくつかの手法がある。第１のオプションでは、検出は、平均電流値の変化をセンシングすることによって行われる。最初に、検知された信号はローパスフィルタにより平均化される。次いで、この値はマイクロコントローラ４６によって読み取られ、公称値と比較される。マイクロコントローラ４６は、その後、これが、それ自身の各ランプ１２と共通の安定器１０を共有している別のランプ１２からの信号を示すかどうかを判定する。例えば、各スレーブランプ１２ｂ〜１２ｄは、マスターを識別する、マスター１２ａからの信号を安定器１０上でリッスンしてもよく、スレーブ１２ｂ〜１２ｄがこれを検出すると、各スレーブ１２ｂ〜１２ｄは、マスター１２ａにスレーブの識別情報（例えば、アドレス）を知らせるために、無線インタフェース２８を介してマスター１２ａに応答する。あるいは、これとは逆に動作して、マスター１２ａは、スレーブ１２ｂ〜１２ｄをマスター１２ａに対して識別する、スレーブ１２ｂ〜１２ｄから安定器１０上で受信された信号を、安定器１０上でリッスンしてもよい。
【０１４４】
検出の、第２の、代替的な又は付加的なオプションとして、検出は、受信された変調の周波数を測定することによって行われてもよい。必要であれば、マスターＴＬＥＤランプ１２ａは、いくつかの基本メッセージを、周波数、デューティサイクル等を変調することによってスレーブランプ１２ｂ〜１２ｄに送信することもできる。この第２のオプションは、異なる安定器回路トポロジーがＴＬＥＤ電流の異なる変調度をもたらすことから、上記第１のオプションに比べてより正確である。第１のオプションによって使用される平均値検出法は、したがって、第２のオプションに比べて誤りがより生じやすい（しかし必ずしも使用できないほど誤りが生じやすいわけではない）。
【０１４５】
上で開示した安定器負荷変調方式により情報を信号送信するために使用される符号化方式に関しては、種々の符号化方式が可能である。例えば、マスター及びスレーブＴＬＥＤ１２ａ〜１２ｄ間の安定器ベースの通信チャネルは、モールス符号、マンチェスター符号化、又はパルス位置変調等などのバイナリ符号化方式を用いてもよい。信号送信される情報は、送信側ランプの６４ビット固有ＺｉｇＢｅｅアドレス（又は他の固有識別子）のいくつか又は全てを、オプションとして、ヘッダビット、スタート及びストップビット、並びに／又は可能な誤り検出若しくは訂正ビットなどのいくつかの他のビットと共に含んでもよい。ある実施形態では、この通信チャネルは、また、例えば、「オペコード」のバイトの付加により、付加的な情報の送信を可能にしてもよい。スレーブランプ１２ｂ〜１２ｄはそれらが再度安定器１０を介して又は無線インタフェース２８を介してのいずれかで信号を受信したことをマスター１２ｂ〜１２ｄに通知することを可能とされてもよい。信号送信後、マスター１２はＦＮモードに戻り、前述したように、コミッショニングツール６に係合する。
【０１４６】
安定器１０上での信号送信は、ＬＥＤ１８の完全な１００％から０％（光オフ）の変調ではなくむしろ輝度範囲の一部（例えば、光出力の１００％〜８０％）のみを変調することによっても実施され得ることに留意されたい。符号化光型の符号化と同様に、この１００％〜８０％の変調は、後に運用段階において、通常の照明動作時にはエンドユーザに見えない、安定器負荷変動ベースの「サイドチャネル」用にも利用されてよい。
【０１４７】
自動分類の完了後、マスター及びスレーブＴＬＥＤランプ１２ａ〜１２ｄの両方は、それらが取付者８によってコミッショニングされるまで制御されることができない。ＴＬＥＤ１２ａ〜１２ｄが自動分類されているが、まだコミッショニングされていない状態の際、どの光レベルを選択すべきかに関するいくつかのオプションがある。一実施形態では、マスターランプ１２ａ及びスレーブランプ１２ｂ〜１２ｄは、自動ペアリングが適切に行われたかどうかについて（第１の）取付者８の簡易目視検査を可能にするために、異なる光レベルに自動的に設定される。
【０１４８】
更なる実施形態
上記実施形態は単なる例として記載されていることは理解されよう。
【０１４９】
例えば、上記は、種々の各機能を実施する（perfroming）、各ランプ１２内のマイクロコントローラ４６の観点から記載してきたが、同じ機能を実装するためにコントローラ４６のあらゆるソフトウェア又はハードウェア実装形態が使用され得ることは理解されよう。例えば、マイクロコントローラ４６の記載した機能は、代わりに、複数のプロセッサ上、又は専用ハードウェア回路内、又はＰＧＡ若しくはＦＰＧＡなどのコンフィギュラブル又はリコンフィギュラブル回路内で実行するソフトウェアに実装されてもよい。
【０１５０】
更に、上で開示したコミッショニングフローは、ＺｉｇＢｅｅ又はＺｉｇＢｅｅ  Ｌｉｇｈｔ  Ｌｉｎｋだけでなく他のプロトコルと共に使用することができる。最も本質的には、ファクトリーニューモードは、ランプ１２がコミッショニングツール６にニューとして現れる、即ち、コミッショニング待機として現れるモードであり、非ファクトリーニューモードは、ランプ１２がコミッショニングツール６にニューとして現れないものである。他のプロトコルは、類似のモードの対を有してもよい、又は類似のモードの対を組み込むように修正されてもよく、また、コミッショニングプロセスの一部として、同一照明器具４内のランプ１２ａ〜１２ｄを一緒に示すためにファクトリーニューモード（等）を意図的に操作する原理を使用することによって利することができる。
【０１５１】
更に、上記では、マスター１２ａが同一照明器具４内の他のランプ１２ｂ〜１２ｄを、安定器１０上で信号送信し、その後、無線ネットワーク（例えば、ＺｉｇＢｅｅネットワーク）の形態の別の媒体を介して戻るそれら他のランプの識別子を受信することによって検出すると記載されている。しかし、代替的に、スレーブ１２ｂ〜１２ｄは、その代わりに、また安定器１０を介して返答することができる（例えば、それぞれはその応答をランダム時間に又は搬送波感知多重アクセス技術を使用して送信する）。あるいは、別の代替として、スレーブ１２ｂ〜１２ｄは初めに（最初にマスターからの信号を待つことなく）それらの識別情報を安定器１０を介してマスターに信号送信することができる。また、どのランプがマスターになるかを決定するためのプロトコルは、無線ビーコンだけでなく他の手段により、例えば、安定器１０により、又は符号化光若しくは超音波により実装され得る。更に、マスターを選択するための別のプロトコルが使用され得る。例えば、マスターは必ずしも最下位アドレスを有するランプである必要はなく、その代わりに、最上位アドレス又は他の何らかの規則に従い選択されたアドレス（又はより一般にはＩＤ）を有するランプであり得る。あるいは、選択は、アドレス又は識別子に基づく必要さえもなく、その代わりに、（最高優先度レベルを有するランプがマスターになるように）各ビーコン内の別個の優先度標識など、ビーコン内の他の何らかの属性に基づき得る。
【０１５２】
更に、コミッショニングフローは同一照明器具４内のランプ１２ａ〜１２ｄの分類に限定されない。より一般には、開示されるコミッショニングフローは、同一照明器具４内にあるかどうかを検出することを基にするだけでなく、分類されるランプ１２を決定する他の手法と共に使用することができる。例えば、ランプを分類する他の理由は、室内のランプのクラスタ又はゾーンを分類することを含み得る。このような場合、ランプ１２を、各ランプ１２の識別子を含む符号化光信号、無線信号、又は超音波信号などの信号をそれぞれが発するように構成すること（その信号がなければ各ハウジング１４によって必ずしも妨げられない）、及び受信された信号の強度（例えばＲＳＳＩ）又は飛行時間（ＴｏＦ）を測定するために、ランプ１２のそれぞれが、その隣接するランプのうちの他のものからの信号もリッスンするように構成することが可能である。これら測定値を（ランプ１２のうちマスターの１つにおいて、又はコミッショニングツール６若しくは照明ブリッジなどの中央デバイスのいずれかにおいて）まとめることによって、どれが同一クラスタ内にあると考えられるかを検出するために、異なるランプ１２間の相対距離を検出し、それによって環境２内におけるランプ１２のトポロジーを推測することが可能である。
【０１５３】
反対に、ランプが同一照明器具内にあるかどうかを検出するための開示される技術は、ファクトリーニューモード等の操作を必ずしも伴わずに他のコミッショニングフローと共に、又は実際、ランプが同一照明器具４にあることを検出することが所望され得る他のあらゆる状況で（例えば、監査目的で、又は特定のコミッショニング段階なしのアドホック手法でグループとして制御するために）使用されてもよい。
【０１５４】
更に、ゼロ又は全負荷のいずれかの間で負荷を切り換えるためにスイッチＭ１が使用される、図７に示されるオン／オフ（イン／アウト）手法以外の、負荷を変調するための他の可能性がある。例えば、代替的に、ＬＥＤ１８及び／又はドライバ２４は、回路に接続されたままであってもよく、かつ完全には短絡されなくてもよいが、切り換え可能若しくは可変抵抗又はインピーダンスがＬＥＤ１８及び／又はドライバ２４と直列又は並列で含まれてもよく、マイクロコントローラ４６は、負荷を変調するために、この切り換え可能若しくは可変抵抗又はインピーダンスを制御してもよい。あるいはより一般には、当業者には、他の電力線通信技術が利用可能であってもよい。更に、開示される電力の変調の技術は、安定器１０の状況だけでなく、他のあらゆる電源回路、例えば、変圧器を含む回路に適用されてもよい。
【０１５５】
疑義を回避するため、「無線ランプ」等の用語は、本明細書で使用される場合、ランプが無線で通信することができることを意味し、給電のためにコンセントに差し込まれる必要がないというわけではないことにも留意されたい。概して、無線ランプは、主電源供給又はバッテリなどのあらゆる手段で給電されてもよく、例えば、ＴＬＥＤ管は照明器具内に収容された非常時用照明バッテリによって給電されてもよい。
【０１５６】
更に、本出願におけるビーコンという用語は、ＺｉｇＢｅｅビーコンに限定されず、また、ランプによって繰り返し送信されるあらゆるメッセージ、例えば、オープンネットワークを探すメッセージ（又はオープンネットワークを公開するあらゆるメッセージ）であり得る。別の代替的方法は、デバイスがそのマスター／スレーブ状態に応じてオープンネットワークのオファーに応答したりしなかったりすることである。この場合、ランプは、リッスンするのみであり、本質的にビーコンを送信しない。むしろ、コミッショニングツールがオープンネットワークのオファーを送信する場合、マスターデバイスはオファーに反応するがスレーブデバイスはそれを無視する。
【０１５７】
図面、本開示、及び添付の請求項の検討によって、開示される実施形態に対する他の変形形態が、当業者により理解され得、また、特許請求される発明を実施する際に実行され得る。請求項では、単語「備える（comprising）」は、他の要素又はステップを排除するものではなく、不定冠詞「１つの（a）」又は「１つの（an）」は、複数を排除するものではない。単一のプロセッサ又は他のユニットが、「特許請求の範囲」に列挙される、いくつかの項目の機能を果たすことができる。特定の手段が、互いに異なる従属請求項内に列挙されているという単なる事実は、これらの手段の組み合わせが、有利に使用され得ないことを示すものではない。コンピュータプログラムは、他のハードウェアと共に、若しくは他のハードウェアの一部として供給される、光学記憶媒体又は半導体媒体などの、好適な媒体上に記憶／分散される場合があるが、また、インターネット、又は他の有線若しくは無線の電気通信システムなどを介して、他の形態で分散される場合もある。請求項中のいかなる参照符号も、範囲を限定すると解釈されるべきではない。
【図１】
2019528586.tif 000004
【図２】
2019528586.tif 000005
【図３】
2019528586.tif 000006
【図４】
2019528586.tif 000007
【図５】
2019528586.tif 000008
【図６】
2019528586.tif 000009
【図７】
2019528586.tif 000010
【図８】
2019528586.tif 000011
【図９】
2019528586.tif 000012
【図１０ａ】
2019528586.tif 000013
【図１０ｂ】
2019528586.tif 000014
【図１１】
2019528586.tif 000015
【図１２】
2019528586.tif 000016
【国際調査報告】
2019528586.tif 000017
2019528586.tif 000018